(57)【要約】【課題】小型化に有利であり、変倍比を大きくしても、球面収差の変動を抑えやすいズームレンズを提供すること。【解決手段】  物体側から順に、正の第１レンズ群Ｇ１と、負の第２レンズ群Ｇ２と、正の第３レンズ群Ｇ３と、正の第４レンズ群Ｇ４と、を有し、広角端から望遠端への変倍に際して、各レンズ群の間の間隔が変化し、第１レンズ群Ｇ１は負レンズと正レンズの２枚のレンズからなり、以下の条件式を満足する。    −０．７５＜ＳＦ1p＜−０．１  ・・・（１）  ただし、  ＳＦ1p＝（Ｒ1pf＋Ｒ1pr）／（Ｒ1pf−Ｒ1pr）で定義され、  Ｒ1pfは、第１レンズ群Ｇ１中の正レンズの物体側面の近軸曲率半径、  Ｒ1prは、第１レンズ群Ｇ１中の正レンズの像側面の近軸曲率半径、である。【選択図】        図１
2008122879.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
正の屈折力を有する第４レンズ群と、を有し、
広角端から望遠端への変倍に際して、
前記各レンズ群の間の間隔が変化し、
前記第１レンズ群は負レンズと正レンズの２枚のレンズからなり、
以下の条件式を満足することを特徴とするズームレンズ。
−０．７５＜ＳＦ1p＜−０．１  ・・・（１）
ただし、
ＳＦ1p＝（Ｒ1pf＋Ｒ1pr）／（Ｒ1pf−Ｒ1pr）で定義され、
Ｒ1pfは、前記第１レンズ群中の前記正レンズの物体側面の近軸曲率半径、
Ｒ1prは、前記第１レンズ群中の前記正レンズの像側面の近軸曲率半径、
である。
【請求項２】
物体側から順に、
正の屈折力を有する第１レンズ群と、
負の屈折力を有する第２レンズ群と、
正の屈折力を有する第３レンズ群と、
正の屈折力を有する第４レンズ群と、を有し、
広角端から望遠端への変倍に際して、
前記各レンズ群の間の間隔が変化し、
前記第１レンズ群は負レンズと正レンズの２枚のレンズからなり、
以下の条件式を満足することを特徴とするズームレンズ。
３８．０＜νd1p−νd1n  ・・・（２）
ただし、
νd1pは、前記第１レンズ群の前記正レンズのｄ線に対するアッベ数、
νd1nは、前記第１レンズ群の前記負レンズのｄ線に対するアッベ数、
である。
【請求項３】
以下の条件式を満足することを特徴とする請求項１に記載のズームレンズ。
３８．０＜νd1p−νd1n  ・・・（２）
ただし、
νd1pは、前記第１レンズ群の前記正レンズのｄ線に対するアッベ数、
νd1nは、前記第１レンズ群の前記負レンズのｄ線に対するアッベ数、
である。
【請求項４】
以下の条件式を満足することを特徴とする請求項１〜３のいずれか一項に記載のズームレンズ。
０．４０＜ｆ1／ｆt＜０．９０  ・・・（３）
ただし、
ｆ1は、前記第１レンズ群の焦点距離、
ｆtは、望遠端での前記ズームレンズ全系の焦点距離、
である。
【請求項５】
以下の条件式を満足することを特徴とする請求項１〜４のいずれか一項に記載のズームレンズ。
０．１０＜｜ｆ2／ｆt｜＜０．２０  ・・・（４）
ただし、
ｆ2は、前記第２レンズ群の焦点距離、
ｆtは、望遠端での前記ズームレンズ全系の焦点距離、
である。
【請求項６】
以下の条件式を満足することを特徴とする請求項１〜５のいずれか一項に記載のズームレンズ。
０．１０＜ｆ3／ｆt＜０．３０  ・・・（５）
ただし、
ｆ3は、前記第３レンズ群の焦点距離、
ｆtは、望遠端での前記ズームレンズ全系の焦点距離、
である。
【請求項７】
以下の条件式を満足することを特徴とする請求項１〜６のいずれか一項に記載のズームレンズ。
０．１０＜ｆ4／ｆt＜０．７０  ・・・（６）
ただし、
ｆ4は、前記第４レンズ群の焦点距離、
ｆtは、望遠端での前記ズームレンズ全系の焦点距離、
である。
【請求項８】
以下の条件式を満足することを特徴とする請求項１〜７のいずれか一項に記載のズームレンズ。
６２．０＜νd1p＜９５．０  ・・・（７）
ただし、
νd1pは、前記第１レンズ群中の前記正レンズのｄ線に対するアッベ数、
である。
【請求項９】
前記第３レンズ群中に以下の条件式を満足する正レンズを備えることを特徴とする請求項１〜８のいずれか一項に記載のズームレンズ。
６２．０＜νd3p＜９５．０  ・・・（８）
ただし、
νd3pは、前記第３レンズ群中の前記正レンズのｄ線に対するアッベ数、
である。
【請求項１０】
前記正レンズは、前記第３レンズ群中の最も物体側に配置される正単レンズであることを特徴とする請求項９に記載のズームレンズ。
【請求項１１】
以下の条件式を満足することを特徴とする請求項１〜１０のいずれか一項に記載のズームレンズ。
１．８５＜ｎd1n＜２．１０  ・・・（９）
ただし、
ｎd1nは、前記第１レンズ群中の前記負レンズのｄ線に対する屈折率、
である。
【請求項１２】
前記第２レンズ群中に以下の条件式を満足する負レンズを備えることを特徴とする請求項１〜１１のいずれか一項に記載のズームレンズ。
１．７６＜ｎd2n＜２．００  ・・・（１０）
ただし、
ｎd2nは、前記第２レンズ群中の前記負レンズのｄ線に対する屈折率、
である。
【請求項１３】
前記負レンズは、前記第２レンズ群中の最も物体側に配置される負単レンズであることを特徴とする請求項１２に記載のズームレンズ。
【請求項１４】
前記第２レンズ群中に以下の条件式を満足する正レンズを備えることを特徴とする請求項１〜１３のいずれか一項に記載のズームレンズ。
１．８０＜ｎd2p＜２．１５  ・・・（１１）
ただし、
ｎd2pは、前記第２レンズ群中の前記正レンズのｄ線に対する屈折率、
である。
【請求項１５】
前記正レンズは前記第２レンズ群中の最も像側に配置される正レンズであることを特徴とする請求項１４に記載のズームレンズ。
【請求項１６】
前記第２レンズ群は複数の負レンズを備え、前記正レンズは、前記複数の負レンズの間に配置されることを特徴とする請求項１４に記載のズームレンズ。
【請求項１７】
前記第２レンズ群中の最も物体側に、以下の条件式を満足する両凹負レンズを配置したことを特徴とする請求項１〜１５のいずれか一項に記載のズームレンズ。
−１．０＜ＳＦ2n1＜０．８  ・・・（１２）
ただし、
ＳＦ2n1＝（Ｒ2n1f＋Ｒ2n1r）／（Ｒ2n1f−Ｒ2n1r）で定義され、
Ｒ2n1fは、前記第２レンズ群中、最も物体側に配置された負レンズの物体側面の近軸曲率半径、
Ｒ2n1rは、前記第２レンズ群中、最も物体側に配置された負レンズの像側面の近軸曲率半径、
である。
【請求項１８】
以下の条件式を満足することを特徴とする請求項１〜１７のいずれか一項に記載のズームレンズ。
１．０＜（β2t／β2w）／（β3t／β3w）＜２．５  ・・・（１３）
ただし、
β2wは、前記第２レンズ群の広角端での横倍率、
β2tは、前記第２レンズ群の望遠端での横倍率、
β3wは、前記第３レンズ群の広角端での横倍率、
β3tは、前記第３レンズ群の望遠端での横倍率、
である。
【請求項１９】
以下の条件式を満足することを特徴とする請求項１〜１８のいずれか一項に記載のズームレンズ。
２．６＜β2t／β2w＜６．０  ・・・（１４）
ただし、
β2wは、前記第２レンズ群の広角端での横倍率、
β2tは、前記第２レンズ群の望遠端での横倍率、
である。
【請求項２０】
以下の条件式を満足することを特徴とする請求項１〜１９のいずれか一項に記載のズームレンズ。
１．２＜β3t／β3w＜３．０  ・・・（１５）
ただし、
β2wは、前記第３レンズ群の広角端での横倍率、
β2tは、前記第３レンズ群の望遠端での横倍率、
である。
【請求項２１】
以下の条件式を満足することを特徴とする請求項１〜２０のいずれか一項に記載のズームレンズ。
０．７＜β4t／β4w＜１．７  ・・・（１６）
ただし、
β4wは、前記第４レンズ群の広角端での横倍率、
β4tは、前記第４レンズ群の望遠端での横倍率、
である。
【請求項２２】
以下の条件式を満足することを特徴とする請求項１〜２１のいずれか一項に記載のズームレンズ。
０．４＜（Ｄ2w＋Ｄ1t）／ｆt＜０．９  ・・・（１７）
ただし、
Ｄ2wは、広角端における前記第２レンズ群と前記第３レンズ群との光軸上での空気間隔、
Ｄ1tは、望遠端における前記第１レンズ群と前記第２レンズ群との光軸上での空気間隔、
ｆtは、望遠端での前記ズームレンズ全系の焦点距離、
である。
【請求項２３】
以下の条件式を満足することを特徴とする請求項１〜２２のいずれか一項に記載のズームレンズ。
０．１＜Ｄ2w／ｆt＜０．５  ・・・（１８）
ただし、
Ｄ2wは、広角端における前記第２レンズ群と前記第３レンズ群との光軸上での空気間隔、
ｆtは、望遠端での前記ズームレンズ全系の焦点距離、
である。
【請求項２４】
以下の条件式を満足することを特徴とする請求項１〜２３のいずれか一項に記載のズームレンズ。
０．２＜Ｄ1t／ｆt＜０．５  ・・・（１９）
ただし、
Ｄ1tは、望遠端における前記第１レンズ群と前記第２レンズ群との光軸上での空気間隔、
ｆtは、前記望遠端でのズームレンズ全系の焦点距離、
である。
【請求項２５】
広角端よりも望遠端にて前記第１レンズ群が物体側に位置するように移動し、
以下の条件式を満足することを特徴とする請求項１〜２４のいずれか一項に記載のズームレンズ。
０．７＜ＴL／ｆt＜１．５  ・・・（２０）
ただし、
ＴLは、望遠端における前記第１レンズ群の最も物体側のレンズ面の面頂から像面までの光軸上の距離、
ｆtは、望遠端での前記ズームレンズ全系の焦点距離、
である。
【請求項２６】
以下の条件式を満足することを特徴とする請求項１〜２５のいずれか一項に記載のズームレンズ。
３．０＜ｆt／ｆw＜１２．０  ・・・（２１）
ただし、
ｆwは、広角端での前記ズームレンズ全系の焦点距離、
ｆtは、望遠端での前記ズームレンズ全系の焦点距離、
である。
【請求項２７】
前記第１レンズ群中の前記負レンズと前記正レンズがそれぞれ光軸上にて接合され、接合ダブレットを構成することを特徴とする請求項１〜２６のいずれか一項に記載のズームレンズ。
【請求項２８】
前記第２レンズ群が３枚以下のレンズからなることを特徴とする請求項１〜２７のいずれか一項に記載のズームレンズ。
【請求項２９】
前記第２レンズ群が、物体側から順に、負レンズ、負レンズ、正レンズからなることを特徴とする請求項２８に記載のズームレンズ。
【請求項３０】
前記第２レンズ群が、物体側から順に、負レンズ、正レンズ、負レンズからなることを特徴とする請求項２８に記載のズームレンズ。
【請求項３１】
前記第２レンズ群が負レンズと正レンズの２枚のレンズからなることを特徴とする請求項２８に記載のズームレンズ。
【請求項３２】
前記第３レンズ群が３枚以下のレンズからなることを特徴とする請求項１〜３１のいずれか一項に記載のズームレンズ。
【請求項３３】
前記第３レンズ群が、物体側から順に、
正レンズ、正レンズ、負レンズからなり、
前記負レンズが隣の前記正レンズと接合し、接合ダブレットを構成したことを特徴とする請求項３２に記載のズームレンズ。
【請求項３４】
前記第１レンズ群は、非球面レンズ面を有することを特徴とする請求項１〜３３のいずれか一項に記載のズームレンズ。
【請求項３５】
前記第２レンズ群は、非球面レンズ面を有することを特徴とする請求項１〜３４のいずれか一項に記載のズームレンズ。
【請求項３６】
前記第３レンズ群は、非球面レンズ面を有することを特徴とする請求項１〜３５のいずれか一項に記載のズームレンズ。
【請求項３７】
前記第３レンズ群中の最も物体側のレンズが、両面非球面の正単レンズであることを特徴とする請求項３６に記載のズームレンズ。
【請求項３８】
前記第１レンズ群、前記第２レンズ群、前記第３レンズ群、前記第４レンズ群が変倍時に移動し、
前記第３レンズ群と一体で光軸方向に移動する明るさ絞りを備えたことを特徴とする請求項１〜３７のいずれか一項に記載のズームレンズ。
【請求項３９】
前記広角端から前記望遠端への変倍に際して、
前記第１レンズ群は広角端よりも望遠端で物体側にあるように移動し、
前記第２レンズ群は移動し、
前記第３レンズ群は物体側へのみ移動し、
前記第４レンズ群は移動することを特徴とする請求項３８に記載のズームレンズ。
【請求項４０】
前記明るさ絞りが、前記第２レンズ群と前記第３レンズ群との間に配置されたことを特徴とする請求項３８または３９に記載のズームレンズ。
【請求項４１】
前記ズームレンズは、物体側から順に、前記第１レンズ群、前記第２レンズ群、前記第３レンズ群、前記第４レンズ群からなる４群ズームレンズであることを特徴とする請求項１〜４０のいずれか一項に記載のズームレンズ。
【請求項４２】
請求項１から４１のいずれか一項に記載のズームレンズと、
前記ズームレンズの像側に配置され、前記ズームレンズにより形成された像を電気信号に変換する電子撮像素子と、を有することを特徴とする電子撮像装置。
【請求項４３】
前記電子撮像素子による電気信号をもとに、前記ズームレンズの歪曲収差を電気的に補正する処理部を備えたことを特徴とする請求項４２に記載の電子撮像装置。
【発明の詳細な説明】
【技術分野】
【０００１】
本発明は、ズームレンズ及びそれを用いた電子撮像装置に関するものである。特に小型化を実現した、ビデオカメラやデジタルカメラをはじめとする電子撮像装置に関するものである。
【背景技術】
【０００２】
近年では、銀塩フィルムカメラに代わり、ＣＣＤやＣＭＯＳのような電子撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。
【０００３】
普及タイプのデジタルカメラのユーザーは、いつでもどこでも手軽に幅広いシーンで撮影を楽しみたいという要望をもっている。そのため、小型なカメラ、特に服やカバンのポケット等への収納性がよく持ち運びが便利な、厚み方向のサイズが薄型であるタイプのデジタルカメラが好まれるようになっている。一方、コンパクトタイプのデジタルカメラの変倍比は３倍程度が一般的であったが、更に撮影領域を広げるために従来よりも高変倍比のカメラが求められている。
【０００４】
一方、カメラの大きさのうち、厚さ方向のサイズは主にレンズ鏡筒のサイズで決まってしまうため、カメラの薄型化達成のためにはレンズ鏡筒を薄型化することが効果的である。
【０００５】
最近では、カメラ使用状態ではレンズ鏡筒をカメラボディ内からせり出し携帯時にはカメラボディ内に収納する、いわゆる沈胴式鏡筒が一般的になっている。そのため、沈胴時のレンズ鏡筒の薄型化を考慮してズームレンズが求められる。
【０００６】
従来技術として、物体側より正屈折力の第１レンズ群、負屈折力の第２レンズ群、正屈折力の第３レンズ群、正屈折力の第４レンズ群を有するタイプにて構成して比較的高変倍比を確保し、第１レンズ群を１枚または２枚のレンで構成しコンパクトなズームレンズが、例えば特許文献１にて知られている。
【０００７】
特許文献１に開示されたズームレンズは、第１レンズ群のレンズ枚数を少なくすることにより、第１レンズ群の厚さ方向を小さくする工夫がなされている。特に、第１レンズ群では軸外光線の光軸上からの高さが高くなるので、レンズのふち肉を必要な量確保しようとするとき、軸上肉厚が非常に厚くなりやすい。さらに第１レンズ群のレンズ枚数が多くなると入射瞳位置が物体側から見て遠くなるため第１レンズ群を通る軸外光線高さはますます高くなり、ふち肉確保のための軸上肉厚はより厚みが必要となる。当然、レンズ枚数が増えた分の軸上肉厚も大きくなってしまう。
【０００８】
従ってレンズ枚数を増やすにつれて、この群の径方向の大きや光軸上肉厚は必要以上に大きくなってしまい、沈胴状態にさせたとしても鏡筒のコンパクト化が十分には行えなくなる。このような観点から、第１レンズ群を少ないレンズ枚数からなる構成とすることは鏡筒のコンパクト化という目的には好ましい。
【０００９】
【特許文献１】特開２００３−３１５６７６号公報
【発明の開示】
【発明が解決しようとする課題】
【００１０】
しかしながら、上述の先行技術には以下のような課題がある。第１レンズ群が１枚のみの場合、第１レンズ群における正レンズで発生する諸収差、特に軸上色収差の発生が起こりやすくなり、変倍比をより大きくしようとすると色収差の補正が困難となる。また、第１レンズ群を、負レンズと正レンズで構成したズームレンズについても、変倍比をより大きくしようとすると第１レンズ群での球面収差や、色収差の補正が困難となる。
【００１１】
一般的に、正屈折力の第１レンズ群、負屈折力の第２レンズ群、正屈折力の第３レンズ群、正屈折力の第４レンズ群を有するズームレンズにおいて、第１レンズ群で発生する収差は後の群で拡大される。そのため、高変倍化されるほど、特に望遠端での補正が難しくなるため、変倍で変動する収差を小さくし良好な光学性能を確保するためには、第１レンズ群内で発生する収差を極力小さくしておく必要がある。
【００１２】
しかしながら、この従来技術では変倍比を大きくしようとすると、第１レンズ群での収差が拡大され、収差変動が許容のレベルを超えて大きくなり、全変倍域にわたって良好な光学性能を得ることができなくなる。
【００１３】
本発明は、上述の課題に鑑み、正屈折力の第１レンズ群、負屈折力の第２レンズ群、正屈折力の第３レンズ群、正屈折力の第４レンズ群を有するズームレンズにおいて、第１レンズ群の工夫により、小型化に有利であり、変倍比を大きくしても、球面収差の変動を抑えやすいズームレンズを提供することを第１の目的とするものである。もしくは、第１レンズ群の工夫により、小型化に有利であり、変倍比を大きくしても、色収差の変動を抑えやすいズームレンズの提供を第２の目的とするものである。
【００１４】
さらには、上述の目的を同時に達成するズームレンズの提供を目的とするものである。また、各レンズ群、移動方式等の工夫により、小型化、高変倍比化、低コスト化、光学性能の確保等の何れか、または、複数を同時に達成するズームレンズの提供を目的とするものである。さらには、そのようなズームレンズを備えた電子撮像装置の提供を目的とするものである。
【課題を解決するための手段】
【００１５】
上述した課題を解決し、目的を達成するために、第１のズームレンズは、物体側から順に、正の屈折力を有する第１レンズ群と、負の屈折力を有する第２レンズ群と、正の屈折力を有する第３レンズ群と、正の屈折力を有する第４レンズ群と、を有し、広角端から望遠端への変倍に際して、前記各レンズ群の間の間隔が変化し、前記第１レンズ群は負レンズと正レンズの２枚のレンズからなり、以下の条件式を満足する。
【００１６】
−０．７５＜ＳＦ1p＜−０．１  ・・・（１）
ただし、
ＳＦ1p＝（Ｒ1pf＋Ｒ1pr）／（Ｒ1pf−Ｒ1pr）で定義され、
Ｒ1pfは、第１レンズ群中の正レンズの物体側面の近軸曲率半径、
Ｒ1prは、第１レンズ群中の正レンズの像側面の近軸曲率半径、
である。
【００１７】
第１のズームレンズにおいて上記構成をとった理由と作用を説明する。本発明では変倍比の確保を容易にするために、物体側から順に、正の第１レンズ群、負の第２レンズ群、正の第３レンズ群、正の第４レンズ群を有し、各群の間隔を変化させることで変倍を行う構成を採用した。このような構成をとることにより、各群に変倍の負担を効率的に分担させることで変倍時の収差変動を小さく抑えつつまた各群の移動量が大きくなることを防ぎ光学系のコンパクト化につながる。
【００１８】
この構成で沈胴状態の鏡筒を小型化に有利な構成とするために第１レンズ群を負レンズと正レンズの２枚のレンズからなる構成とした。第１レンズ群を、負レンズと正レンズの２枚のレンズで構成することにより、群の厚さ方向を小さくし、かつ外径方向の大きさも小型化できる。
【００１９】
小型化できる理由は以下のとおりである。第１レンズ群では軸外光線の光軸上からの高さが高くなるので、レンズのふち肉を必要な量確保しようとするとき、軸上肉厚が非常に厚くなりやすい。第１レンズ群のレンズ枚数が多くなると入射瞳位置が物体側から見て遠くなるため第１レンズ群を通る軸外光線高さはますます高くなり、ふち肉確保のための軸上肉厚はより厚みが必要となる。当然、レンズ枚数が増えた分の軸上肉厚も大きくなってしまう。
【００２０】
従って、レンズ枚数を増やすにつれて、この群の径方向の大きや光軸上肉厚は必要以上に大きくなってしまい、沈胴状態にさせたとしても鏡筒のコンパクト化が十分には行えなくなる。このような観点から、第１レンズ群を２枚という少ないレンズからなる構成とすることで鏡筒のコンパクト化に大きく貢献している。
【００２１】
また、小型で高変倍を達成するために、第１レンズ群は大きな正のパワー（屈折力）が必要であり、かつ発生する収差、特に高変倍比化させた際に望遠側で発生しやすい球面収差や、広角側で発生しやすい軸外収差を、正レンズの左右の面でバランスよく補正するために、条件式（１）を満足する両凸形状とすることが好ましい。
【００２２】
条件式（１）の上限を上回らないようにすることで、広角端側での、レンズ像側面で発生する像面湾曲などの収差の補正に有利になる。
【００２３】
一方、条件式（１）の下限を下回らないようにすることで、望遠端側での球面収差の補正に有利となり、高変倍比化に有利となる。また、第１レンズ群の主点位置が物体側になることを抑えられ、広角端において第１レンズ群と第２レンズ群の主点間隔を近づけやすくなり、所望の画角を確保しても光線高を低くしやすくなる。従って、第１レンズ群のレンズのふち肉の確保をしても、軸上肉厚を小さくでき、小型化に有利となる。
【００２４】
以下を満足するとさらに好ましい。
−０．５０＜ＳＦ1p＜−０．１１  ・・・（１’）
以下を満足するとなお好ましい。
−０．３５＜ＳＦ1p＜−０．１３  ・・・（１”）
これらにより、さらに上述の効果を奏することができる。
【００２５】
また、上記第２の目的のため、第２のズームレンズは、物体側から順に、正の屈折力を有する第１レンズ群と、負の屈折力を有する第２レンズ群と、正の屈折力を有する第３レンズ群と、正の屈折力を有する第４レンズ群と、を有し、広角端から望遠端への変倍に際して、前記各レンズ群の間の間隔が変化し、前記第１レンズ群は負レンズと正レンズの２枚のレンズからなり、以下の条件式を満足する。
【００２６】
３８．０＜νd1p−νd1n  ・・・（２）
ただし、
νd1pは、第１レンズ群の正レンズのｄ線に対するアッベ数、
νd1nは、第１レンズ群の負レンズのｄ線に対するアッベ数、
である。
【００２７】
第２のズームレンズにおいて上記構成をとった理由と作用を説明する。条件式（２）は軸上色収差の補正、及び軸外の倍率色収差補正に関する条件式である。第１レンズ群の大きな正パワーにより発生する色収差をこの群内で良好に補正するためには、正レンズに色分散性の小さな材料、負レンズに色分散性の大きな材料を用いることが好ましい。具体的には、２つのレンズのアッベ数の差を規定する条件式（２）を満足することが好ましい。
【００２８】
条件式（２）の下限を下回らないようにすることで、色収差の補正を良好になし得、変倍比の確保に有利となる。
【００２９】
以下を満足すると更に好ましい。
４７．０＜νd1p−νd1n  ・・・（２’）
以下を満足するとなお好ましい。
５８．０＜νd1p−νd1n  ・・・（２”）
これらにより、さらに上述の効果を奏することができる。
【００３０】
本発明では上述のようにズームレンズに工夫を施すことで、カメラ等撮像装置の小型化に有利となり、携帯性を損なうことなく、高変倍比化にも有利なズームレンズとなしうる。
【００３１】
また、上述の第１、第２の目的の達成に有利なズームレンズとするべく、第３のズームレンズは、第１のズームレンズにおいて、以下の条件式を満足することが好ましい。
【００３２】
３８．０＜νd1p−νd1n  ・・・（２）
ただし、
νd1pは、第１レンズ群の正レンズのｄ線に対するアッベ数、
νd1nは、第１レンズ群の負レンズのｄ線に対するアッベ数、
である。
【００３３】
これにより、小型化に有利であり、変倍比を大きくしても、球面収差の変動を抑えやすいズームレンズを提供すること、小型化に有利であり、変倍比を大きくしても、色収差の変動を抑えやすいズームレンズを提供することができる。
【００３４】
小型化、高変倍比化、光学性能の確保等をより良好にしやすくするために、上述の構成に加え、更に以下の構成とすることがより好ましい。
【００３５】
第１レンズ群のパワーについては以下の構成とすることが好ましい。このため、第４のズームレンズは、第１〜第３のズームレンズにおいて、以下の条件式を満足することが好ましい。
【００３６】
０．４０＜ｆ1／ｆt＜０．９０  ・・・（３）
ただし、
ｆ1は、第１レンズ群の焦点距離、
ｆtは、望遠端でのズームレンズ全系の焦点距離、
である。
【００３７】
条件式（３）の上限を上回らないようにすることで、第１レンズ群のパワーを確保し、ズームレンズ全系の全長の変化を抑えて鏡筒の小型化に有利となる。また、第２レンズ群のパワーを抑えても第２レンズ群での変倍負担の確保が容易となり、第２レンズ群での収差低減や小型化に有利となる。
【００３８】
条件式（３）の下限を下回らないようにすることで、第１レンズ群のパワーを抑え、望遠端での球面収差やコマ収差の発生を抑えられ、良好な光学性能を確保し易くなる。
【００３９】
以下を満足するとさらに好ましい。
０．５０＜ｆ1／ｆt＜０．８０  ・・・（３’）
以下を満足するとなお好ましい。
０．５５＜ｆ1／ｆt＜０．７０  ・・・（３”）
これらにより、さらに上述の効果を奏することができる。
【００４０】
また、第２レンズ群のパワーについては以下の構成とすることが好ましい。このため、第５のズームレンズは、第１〜第４のズームレンズにおいて、以下の条件式を満足することが好ましい。
【００４１】
０．１０＜｜ｆ2／ｆt｜＜０．２０  ・・・（４）
ただし、
ｆ2は、第２レンズ群の焦点距離、
ｆtは、望遠端でのズームレンズ全系の焦点距離、
である。
【００４２】
条件式（４）の上限を上回らないようにすることで、第２レンズ群のパワーを確保し変倍のためのレンズ群間隔の変化量を抑え、鏡筒のコンパクト化に有利となる。また、第１レンズ群のパワーを抑えても変倍負担を得やすくなり、第１レンズ群での収差発生の低減に有利となる。
【００４３】
条件式（４）の下限を下回らないようにすることで、屈折力を適度に抑え、収差発生を抑えやすくなる。また、縦倍率が小さくなりすぎることを抑え、間隔変化量に対する変倍比の確保に有利となる。
【００４４】
以下を満足すると更に好ましい。
０．１２＜｜ｆ2／ｆt｜＜０．１９  ・・・（４’）
以下を満足するとなお好ましい。
０．１５＜｜ｆ2／ｆt｜＜０．１８  ・・・（４”）
これらにより、さらに上述の効果を奏することができる。
【００４５】
また、第３レンズ群のパワーについては以下の構成とすることが好ましい。このため、第６のズームレンズは、第１〜第５のズームレンズにおいて、以下の条件式を満足することが好ましい。
【００４６】
０．１０＜ｆ3／ｆt＜０．３０  ・・・（５）
ただし、
ｆ3は、第３レンズ群の焦点距離、
ｆtは、望遠端でのズームレンズ全系の焦点距離、
である。
【００４７】
条件式（５）の上限を上回らないようにすることで、パワーを確保し変倍のための群間隔の変化量を抑えやすくなる。
【００４８】
条件式（５）の下限を下回らないようにすることで、第３レンズ群での収差発生を抑えやすくなる。また、縦倍率が小さくなりすぎることを抑え、間隔変化量に対する変倍比の確保に有利となる。
【００４９】
以下を満足すると更に好ましい。
０．１５＜ｆ3／ｆt＜０．２８  ・・・（５’）
以下を満足するとなお好ましい。
０．２０＜ｆ3／ｆt＜０．２５  ・・・（５”）
これらにより、さらに上述の効果を奏することができる。
【００５０】
また、第４レンズ群のパワーについては以下の構成とすることが好ましい。このため、第７のズームレンズは、第１〜第６のズームレンズにおいて、以下の条件式を満足することが好ましい。
【００５１】
０．１０＜ｆ4／ｆt＜０．７０  ・・・（６）
ただし、
ｆ4は、第４レンズ群の焦点距離、
ｆtは、望遠端でのズームレンズ全系の焦点距離、
である。
【００５２】
条件式（６）の上限を上回らないようにすることで、第４レンズ群のパワーを確保し、全ズーム領域における非点収差や歪曲収差の補正不足を抑えられる。
【００５３】
条件式（６）の下限を下回らないようにすることで、第４レンズ群のパワーを適度に抑え、全ズーム領域における非点収差や歪曲収差の補正過剰を抑えられる。
【００５４】
以下を満足すると更に好ましい。
０．３０＜ｆ4／ｆt＜０．６５  ・・・（６’）
以下を満足するとなお好ましい。
０．４５＜ｆ4／ｆt＜０．６０  ・・・（６”）
これらにより、さらに上述の効果を奏することができる。
【００５５】
また、第４レンズ群はプラスチック材料で形成してもよい。特に、レンズ１枚構成とすることが好ましい。ＣＣＤやＣＭＯＳ等の電子撮像素子を用いる場合、第４レンズ群に、射出瞳位置を適切な位置に配置して撮像素子に効率よく光線を入射させる機能を持たせることが好ましい。そのような機能を果たすためには、上述した条件式（６）のような範囲内にパワーが設定されていれば比較的大きなパワーは必要とせず、プラスチックレンズのような屈折率の低い硝材を用いて構成することも可能である。
【００５６】
また、第４レンズ群にプラスチックレンズを用いればコストを安く抑えられ、より安価なズームレンズを提供することが可能となる。
【００５７】
また、第１レンズ群の正レンズについては、以下の構成とすることが好ましい。このため、第８のズームレンズは、第１〜第７のズームレンズにおいて、以下の条件式を満足することが好ましい。
【００５８】
６２．０＜νd1p＜９５．０  ・・・（７）
ただし、
νd1pは、第１レンズ群中の正レンズのｄ線に対するアッベ数、
である。
【００５９】
条件式（７）の上限を上回らないようにすることで、材料の量産や入手が容易になり、コスト低減に有利となる。
【００６０】
条件式（７）の下限を下回らないようにすることで、色分散を抑え、色収差の低減に有利となる。
【００６１】
以下を満足すると更に好ましい。
６５．０＜νd1p＜９３．０  ・・・（７’）
以下を満足するとなお好ましい。
８０．０＜νd1p＜９０．０  ・・・（７”）
これらにより、さらに上述の効果を奏することができる。
【００６２】
第９のズームレンズは、第１〜第８のズームレンズにおいて、第３レンズ群中に以下の条件式を満足する正レンズを備えることが好ましい。
【００６３】
６２．０＜νd3p＜９５．０  ・・・（８）
ただし、
νd3pは、第３レンズ群中の前記正レンズのｄ線に対するアッベ数、
である。
【００６４】
条件式（８）の上限を上回らないようにすることで、材料の量産や入手が容易になり、コスト低減に効果がある。
【００６５】
条件式（８）の下限を下回らないようにすることで、色分散を抑え、軸上色収差を低減し、全変倍域にわたって良好な光学性能を得やすくなる。
【００６６】
以下を満足すると更に好ましい。
６５．０＜νd3p＜９３．０  ・・・（８’）
以下を満足するとなお好ましい。
８０．０＜νd3p＜９０．０  ・・・（８”）
これらにより、さらに上述の効果を奏することができる。
【００６７】
また、第１０のズームレンズは、第９のズームレンズにおいて、前記正レンズは、第３レンズ群中の最も物体側に配置される正単レンズであることが好ましい。
【００６８】
第１０のズームレンズにおいて上記構成をとった理由と作用を説明する。第３レンズ群には、第２レンズ群から発散される軸上光束が入射する。そのため、第３レンズ群の最も物体側のレンズを正単レンズとして、発散光束に収斂作用を与えることで第３レンズ群の小型化に有利となる。
【００６９】
この場合、このレンズでの色収差の影響を効率的に抑えるために、このレンズが上述の条件式（８）、（８’）、（８”）を満足することが好ましい。
【００７０】
また、第１レンズ群の負レンズについては、以下の構成とすることが好ましい。このため、第１１のズームレンズは、第１〜第１０のズームレンズにおいて、以下の条件式を満足することが好ましい。
【００７１】
１．８５＜ｎd1n＜２．１０  ・・・（９）
ただし、
ｎd1nは、第１レンズ群中の負レンズのｄ線に対する屈折率、
である。
【００７２】
条件式（９）の上限を上回らないようにすることで、材料の量産や入手が容易となり、コスト低減に有利となる。
【００７３】
条件式（９）の下限を下回らないようにすることで、所望の屈折力を得てもレンズ面の曲率絶対値を小さく抑えられ、広角端での歪曲収差や像面湾曲、広角端及び望遠端でのコマ収差等の発生を低減できる。
【００７４】
以下を満足すると更に好ましい。
１．９０＜ｎd1n＜２．０５  ・・・（９’）
以下を満足するとなお好ましい。
１．９５＜ｎd1n＜２．０５  ・・・（９”）
これらにより、さらに上述の効果を奏することができる。
【００７５】
また、第２レンズ群について、以下の構成とすることがより好ましい。このため、第１２のズームレンズは、第１〜第１１のズームレンズにおいて、前記第２レンズ群中に以下の条件式を満足する負レンズを備えることが好ましい。
【００７６】
１．７６＜ｎd2n＜２．００  ・・・（１０）
ただし、
ｎd2nは、第２レンズ群中の前記負レンズのｄ線に対する屈折率、
である。
【００７７】
条件式（１０）の上限を上回らないようにすることで、材料の量産や入手が容易となり、コスト低減に有利となる。条件式（１０）の下限を下回らないようにすることで、屈折力を確保してもレンズ面の曲率絶対値を小さくでき、広角端での歪曲収差や像面湾曲、広角端及び望遠端でのコマ収差等の発生を抑えやすくなる。
【００７８】
以下を満足すると更に好ましい。
１．８０＜ｎd2n＜１．９５  ・・・（１０’）
以下を満足するとなお好ましい。
１．８３＜ｎd2n＜１．９０  ・・・（１０”）
これらにより、さらに上述の効果を奏することができる。
【００７９】
また、特に、以下の構成とすることが好ましい。第１３のズームレンズは、第１２のズームレンズにおいて、負レンズは、第２レンズ群中の最も物体側に配置される負単レンズであることが好ましい。
【００８０】
第１３のズームレンズにおいて上記構成をとった理由と作用を説明する。第２レンズ群の最も物体側に負単レンズを配置することにより、画角を確保しながら第２レンズ群の小型化に有利となる。このとき、この負レンズは、第２レンズ群中で入射光線高が高くなるので、この負レンズでの曲率の増大を抑えることが軸外諸収差の補正に有利となる。そのため、この負レンズが上述の条件式（１０）、（１０’）、（１０”）を満足することが好ましい。
【００８１】
また、第１４のズームレンズは、第１〜第１３のズームレンズにおいて、第２レンズ群中に以下の条件式を満足する正レンズを備えることが好ましい。
【００８２】
１．８０＜ｎd2p＜２．１５  ・・・（１１）
ただし、
ｎd2pは、第２レンズ群中の正レンズのｄ線に対する屈折率、
である。
【００８３】
第１４のズームレンズにおいて上記構成をとった理由と作用を説明する。第２レンズ中に正レンズを配置することで、負の第２レンズ群で発生しやすい収差の低減に有利となる。条件式（１１）の上限を上回らないようにすることで、材料の量産や入手が容易となり、コスト低減に有利となる。
【００８４】
条件式（１１）の下限を下回らないようにすることで、所望の屈折力を得てもレンズ面の曲率絶対値を小さく抑えられ、広角端での歪曲収差や像面湾曲、広角端及び望遠端でのコマ収差等の発生を低減できる。
【００８５】
以下を満足すると更に好ましい。
１．８４＜ｎd2p＜２．１０  ・・・（１１’）
以下を満足するとなお好ましい。
１．９０＜ｎd2p＜２．１０  ・・・（１１”）
【００８６】
特に、以下の構成とすることが好ましい。第１５のズームレンズは、第１４のズームレンズにおいて、正レンズは第２レンズ群中の最も像側に配置される正レンズであることが好ましい。
【００８７】
第１５のズームレンズにおいて上記構成をとった理由と作用を説明する。正レンズを第２レンズ群中の最も像側に配置することで、第２レンズ群の主点を物体よりにできる、それにより、広角側にて第２レンズ群の主点を第１レンズ群に近づけやすく、ズームレンズの全長の短縮、第１，２レンズ群の小径化に有利となる。このとき条件式（１１）、（１１’）、（１１”）を満足することで、この正レンズによる高次収差の発生を抑えてこの機能を確保しやすくなる。
【００８８】
また、第１６のズームレンズは、第１４のズームレンズにおいて、第２レンズ群は複数の負レンズを備え、正レンズは、複数の負レンズの間に配置されることが好ましい。
【００８９】
第１６のズームレンズにおいて上記構成をとった理由と作用を説明する。第２レンズ群内のレンズのパワー配置が対称的な配置となり、第２レンズ群での諸収差の発生を抑えやすくなる。このとき、条件式（１１）、（１１’）、（１１”）を満足することで、この正レンズによる高次収差の発生を抑えて全体の収差補正を行いやすくなる。
【００９０】
また、以下の構成とすることが好ましい。第１７のズームレンズは、第１〜第１５のズームレンズにおいて、第２レンズ群中の最も物体側に、以下の条件式を満足する両凹負レンズを配置したことが好ましい。
【００９１】
−１．０＜ＳＦ2n1＜０．８  ・・・（１２）
ただし、
ＳＦ2n1＝（Ｒ2n1f＋Ｒ2n1r）／（Ｒ2n1f−Ｒ2n1r）で定義され、
Ｒ2n1fは、第２レンズ群中、最も物体側に配置された負レンズの物体側面の近軸曲率半径、
Ｒ2n1rは、第２レンズ群中、最も物体側に配置された負レンズの像側面の近軸曲率半径、
である。
【００９２】
第１７のズームレンズにおいて上記構成をとった理由と作用を説明する。第２レンズ群中の最も物体側に両凹負レンズを配置することで、第２レンズ群の負パワーの確保や小径化に有利となる。また、第２レンズ群を第１レンズ群に近づけやすくなり、広角端での全長や沈胴時の小型化に有利となる。
【００９３】
条件式（１２）の上限を上回らないようにすることで、負レンズのパワーを確保しても像側面の曲率絶対値が大きくなりすぎることを抑え、特に広角端での歪曲収差や像面湾曲などの軸外収差の発生を抑えやすくなる。
【００９４】
条件式（１２）の下限を下回らないようにすることで、物体側面の曲率絶対値が大きくなりすぎることを抑え、広角端側でのコマ収差、非点収差の発生を抑えやすくなる。
【００９５】
以下を満足すると更に好ましい。
−０．８＜ＳＦ2n1＜０．７  ・・・（１２’）
以下を満足するとなお好ましい。
−０．５＜ＳＦ2n1＜０．５  ・・・（１２”）
これらにより、さらに上述の効果を奏することができる。
【００９６】
また、第２レンズ群と第３レンズ群の変倍負担の割合については、以下の構成とすることが好ましい。このため、第１８のズームレンズは、第１〜第１７のズームレンズにおいて、以下の条件式を満足することが好ましい。
【００９７】
１．０＜（β2t／β2w）／（β3t／β3w）＜２．５  ・・・（１３）
ただし、
β2wは、第２レンズ群の広角端での横倍率、
β2tは、第２レンズ群の望遠端での横倍率、
β3wは、第３レンズ群の広角端での横倍率、
β3tは、第３レンズ群の望遠端での横倍率、
である。
【００９８】
条件式（１３）の上限を上回らないようにして、第２レンズ群の変倍負担の過剰を抑え、パワー増大による収差の発生、特に望遠端での像面湾曲や倍率色収差などの軸外諸収差の発生を抑えることが好ましい。
【００９９】
条件式（１３）の下限を下回らないようにして、第３レンズ群の移動量増大による鏡筒サイズの大型化や、第３レンズ群のパワー増大による収差の発生、特に望遠端での球面収差等の軸上収差の発生を抑えることが好ましい。
【０１００】
以下を満足すると更に好ましい。
１．１＜（β2t／β2w）／（β3t／β3w）＜２．０  ・・・（１３’）
以下を満足するとなお好ましい。
１．５＜（β2t／β2w）／（β3t／β3w）＜１．９  ・・・（１３”）
これらにより、さらに上述の効果を奏することができる。
【０１０１】
また、第２レンズ群の変倍作用については、以下の構成を満足することが好ましい。このため、第１９のズームレンズは、第１〜第１８のズームレンズにおいて、以下の条件式を満足することが好ましい。
【０１０２】
２．６＜β2t／β2w＜６．０  ・・・（１４）
ただし、
β2wは、第２レンズ群の広角端での横倍率、
β2tは、第２レンズ群の望遠端での横倍率、
である。
【０１０３】
条件式（１４）の上限を上回らないようにして、第２レンズ群のパワー増大による収差の発生、特に望遠端での像面湾曲や倍率色収差などの軸外諸収差の発生を抑えることが好ましい。
【０１０４】
条件式（１４）の下限を下回らないようにして、他のレンズ群への変倍作用の負担を軽減することが好ましい。第３レンズ群の変倍負担を抑えることで、望遠端での球面収差等の軸上収差の発生の低減に有利となる。また、第４レンズ群の変倍担を抑えることで、第４レンズ群のパワーを適度に抑え、全領域における非点収差の補正過剰を抑えやすくなる。
【０１０５】
以下を満足すると更に好ましい。
２．６＜β2t／β2w＜５．０  ・・・（１４’）
以下を満足するとなお好ましい。
２．９＜β2t／β2w＜３．５  ・・・（１４”）
これらにより、さらに上述の効果を奏することができる。
【０１０６】
また、第３レンズ群の変倍作用については、以下の構成とすることが好ましい。このため、第２０のズームレンズは、第１〜第１９のズームレンズにおいて、以下の条件式を満足することが好ましい。
【０１０７】
１．２＜β3t／β3w＜３．０  ・・・（１５）
ただし、
β2wは、第３レンズ群の広角端での横倍率、
β2tは、第３レンズ群の望遠端での横倍率、
である。
【０１０８】
条件式（１５）の上限を上回らないようにすることで、第３レンズ群のパワー増大による収差の発生、特に望遠端での球面収差等の軸上収差の発生を抑えやすくなる。
【０１０９】
条件式（１５）の下限を下回らないようにすることで、他のレンズへの倍作用の負担を低減することが好ましい。第２レンズ群の変倍負担を抑えることで、望遠端での像面湾曲や倍率色収差などの軸外諸収差の発生の低減に有利となる、また、第４レンズ群の変倍負担を抑えることで、第４レンズ群のパワーを適度に抑え、全領域における非点収差の補正過剰を抑えやすくなる。
【０１１０】
以下を満足すると更に好ましい。
１．５＜β3t／β3w＜２．５  ・・・（１５’）
以下を満足するとなお好ましい。
１．７＜β3t／β3w＜２．０  ・・・（１５”）
これらにより、さらに上述の効果を奏することができる。
【０１１１】
また、第４レンズ群の変倍作用については、以下の構成とすることが好ましい。このため、第２１のズームレンズは、第１〜第２０のズームレンズにおいて、以下の条件式を満足することが好ましい。
【０１１２】
０．７＜β4t／β4w＜１．７  ・・・（１６）
ただし、
β4wは、第４レンズ群の広角端での横倍率、
β4tは、第４レンズ群の望遠端での横倍率、
である。
【０１１３】
第２１のズームレンズにおいて上記構成をとった理由と作用を説明する。第４レンズ群に適度な変倍負担を持たせることで、第２、第３レンズ群の変倍負担を抑えやすくなり、収差変動を抑えながら変倍比の確保に有利となる。
【０１１４】
条件式（１６）の上限を上回らないようにすることで、第４レンズ群の変倍負担の増大を抑え、収差を抑えやすくなる。第４レンズ群をフォーシング時に移動する群とする場合、フォーカス時の像面湾曲の変動を抑えることに有利となる。
【０１１５】
条件式（１６）の下限を下回らないようにすることで、他のレンズ群の変倍負担を軽減することができ好ましい。第２レンズ群の変倍負担を抑えることで、望遠端での像面湾曲や倍率色収差などの軸外諸収差の発生の低減に有利となる。また、第３レンズ群の変倍負担を抑えることで、特に望遠端での球面収差等の軸上収差の発生の低減に有利となる。
【０１１６】
以下を満足すると更に好ましい。
０．８＜β4t／β4w＜１．５  ・・・（１６’）
以下を満足するとなお好ましい。
１．０＜β4t／β4w＜１．３  ・・・（１６”）
これらにより、さらに上述の効果を奏することができる。
【０１１７】
また、望遠端での全系の焦点距離に対する、広角端における第２レンズ群と第３レンズ群の光軸上での空気間隔と、望遠端における第１レンズ群と第２レンズ群の光軸上での空気間隔の和については、以下の構成とすることが好ましい。このため、第２２のズームレンズは、第１〜第２１のズームレンズにおいて、以下の条件式を満足することが好ましい。
【０１１８】
０．４＜（Ｄ2w＋Ｄ1t）／ｆt＜０．９  ・・・（１７）
ただし、
Ｄ2wは、広角端における第２レンズ群と第３レンズ群との光軸上での空気間隔、
Ｄ1tは、望遠端における第１レンズ群と第２レンズ群との光軸上での空気間隔、
ｆtは、望遠端でのズームレンズ全系の焦点距離、
である。
【０１１９】
条件式（１７）の上限を上回らないようにすることで、移動するレンズ群の移動量を抑え、鏡筒の厚さ方向の大型化を抑えやすくなる。
【０１２０】
条件式（１７）の下限を下回らないようにすることで、高変倍比を達成しつつ各レンズ群のパワーを抑え、収差変動を抑えやすくなる。
【０１２１】
以下を満足すると更に好ましい。
０．５＜（Ｄ2w＋Ｄ1t）／ｆt＜０．７  ・・・（１７’）
以下を満足するとなお好ましい。
０．５５＜（Ｄ2w＋Ｄ1t）／ｆt＜０．６５  ・・・（１７”）
これらにより、さらに上述の効果を奏することができる。
【０１２２】
また、望遠端での全系の焦点距離に対する、広角端における第２レンズ群と第３レンズ群の光軸上での空気間隔については、以下の構成とすることが好ましい。このため、第２３のズームレンズは、第１〜第２２のズームレンズにおいて、以下の条件式を満足することが好ましい。
【０１２３】
０．１＜Ｄ2w／ｆt＜０．５  ・・・（１８）
ただし、
Ｄ2wは、広角端における第２レンズ群と第３レンズ群との光軸上での空気間隔、
ｆtは、望遠端でのズームレンズ全系の焦点距離、
である。
【０１２４】
条件式（１８）の上限を上回らないようにすることで、広角端における全長を抑えやすくなる。また、第１レンズ群に入射する光線高を小さくしやすくなり、第１レンズ群のレンズ径も抑えられ、ズームレンズ、電子撮像装置の小型化に有利となる。
【０１２５】
条件式（１８）の下限を下回らないようにすることで、高変倍比化しても各レンズ群のパワーを抑えられ、球面収差など収差発生を抑えやすくなる。
【０１２６】
以下を満足すると更に好ましい。
０．２＜Ｄ2w／ｆt＜０．４  ・・・（１８’）
以下を満足するとなお好ましい。
０．２５＜Ｄ2w／ｆt＜０．３５  ・・・（１８”）
これらにより、さらに上述の効果を奏することができる。
【０１２７】
また、望遠端での全系の焦点距離に対する、広角端における第２レンズ群と第３レンズ群の光軸上での空気間隔については、以下の構成とすることが好ましい。このため、第２４のズームレンズは、第１〜第２３のズームレンズにおいて、以下の条件式を満足することが好ましい。
【０１２８】
０．２＜Ｄ1t／ｆt＜０．５  ・・・（１９）
ただし、
Ｄ1tは、望遠端における第１レンズ群と第２レンズ群との光軸上での空気間隔、
ｆtは、望遠端でのズームレンズ全系の焦点距離、
である。
【０１２９】
条件式（１９）の上限を上回らないようにすることで、望遠端における全長を小さいしやすくなり、鏡筒の厚さ方向のサイズの小型化に有利となる。
【０１３０】
条件式（１９）の下限を下回らないようにすることで、高変倍比化しても各レンズ群のパワーを抑えられ、球面収差など収差発生を抑えやすくなる。
【０１３１】
以下を満足すると更に好ましい。
０．２＜Ｄ1t／ｆt＜０．４  ・・・（１９’）
以下を満足するとなお好ましい。
０．２５＜Ｄ1t／ｆt＜０．３５  ・・・（１９”）
これらにより、さらに上述の効果を奏することができる。
【０１３２】
また、望遠端での全系の焦点距離に対する、ズームレンズの全長については、以下の構成とすることが好ましい。このため、第２５のズームレンズは、第１〜第２４のズームレンズにおいて、広角端よりも望遠端にて第１レンズ群が物体側に位置するように移動し、以下の条件式を満足することが好ましい。
【０１３３】
０．７＜ＴL／ｆt＜１．５  ・・・（２０）
ただし、
ＴLは、望遠端における第１レンズ群の最も物体側のレンズ面の面頂から像面までの光軸上の距離、
ｆtは、望遠端でのズームレンズ全系の焦点距離、
である。
【０１３４】
第２５のズームレンズにおいて上記構成をとった理由と作用を説明する。第１レンズ群の上述の移動により、第２レンズ群等での変倍作用を確保しやすくなる。
【０１３５】
条件式（２０）の上限を上回らないようにすることで、望遠端におけるズームレンズ全長を抑え、鏡筒の厚さ方向のサイズの大型化を抑えやすくなる。
【０１３６】
条件式（２０）の下限を下回らないようにすることで、高変倍比化しても各レンズ群のパワーを抑えられ、球面収差など収差発生を抑えやすくなる。
【０１３７】
以下を満足すると更に好ましい。
０．９＜ＴL／ｆt＜１．３  ・・・（２０’）
以下を満足するとなお好ましい。
１．０＜ＴL／ｆt＜１．２  ・・・（２０”）
これらにより、さらに上述の効果を奏することができる。
【０１３８】
また、本発明のズームレンズは以下の変倍比とすることが、サイズ、光学性能の確保等のバランスが取りやすく好ましい。このため、第２６のズームレンズは、第１〜第２５のズームレンズにおいて、以下の条件式を満足することが好ましい。
【０１３９】
３．０＜ｆt／ｆw＜１２．０  ・・・（２１）
ただし、
ｆwは、広角端でのズームレンズ全系の焦点距離、
ｆtは、望遠端でのズームレンズ全系の焦点距離、
である。
【０１４０】
条件式（２１）の上限を上回らないようにすることで、光学性能の確保や小型化に有利となる。
【０１４１】
条件式（２１）の下限を下回らないようにすることで、本発明の構成による、変倍比確保と小型化、光学性能確保等の有利性を十分に発揮できより好ましい。
【０１４２】
以下を満足すると更に好ましい。
５．０＜ｆt／ｆw＜１０．０  ・・・（２１’）
以下を満足するとなお好ましい。
６．０＜ｆt／ｆw＜８．０  ・・・（２１”）
これらにより、さらに上述の効果を奏することができる。
【０１４３】
また、第２７のズームレンズは、第１〜第２６のズームレンズにおいて、第１レンズ群中の負レンズと正レンズがそれぞれ光軸上にて接合され、接合ダブレットを構成することが好ましい。
【０１４４】
第２７のズームレンズにおいて上記構成をとった理由と作用を説明する。第１レンズ群の負レンズと正レンズを接合レンズとすると、高変倍化による望遠端の長焦点化の際に目立ちやすくなる軸上色収差補正を効果的に行うことができる。また、組み立て誤差によるレンズ相対偏心での光学性能の劣化を抑えることができ、歩留まりの向上やコストダウンに貢献する。
【０１４５】
なお、第１レンズ群の負レンズと正レンズを接合しない場合は、広角端での歪曲収差、コマ収差、及び望遠端でのコマ収差をより効果的に補正することに有利となる。
【０１４６】
また、第２レンズ群について以下の構成とすることが好ましい。このため、第２８のズームレンズは、第１〜第２７のズームレンズにおいて、第２レンズ群が３枚以下のレンズからなることが好ましい。これにより、第２レンズ群の小型化とコスト低減に有利となる。
【０１４７】
また、第２９のズームレンズは、第２８のズームレンズにおいて、第２レンズ群が、物体側から順に、負レンズ、負レンズ、正レンズからなることが好ましい。
【０１４８】
これにより、第２レンズ群の負パワーを２枚の負レンズで分担、正レンズを最像側に配置することで、初収差の補正と主点を物体よりにすることによる全長の短縮化に有利となる。
【０１４９】
また、第３０のズームレンズは、第２８のズームレンズにおいて、第２レンズ群が、物体側から順に、負レンズ、正レンズ、負レンズからなることが好ましい。
【０１５０】
これにより、第２レンズ群を対称配置のレンズ配置とすることで球面収差等の諸収差の変倍時変動を抑えやすくなる。
【０１５１】
また、第３１のズームレンズは、第２８のズームレンズにおいて、第２レンズ群が負レンズと正レンズの２枚のレンズからなることが好ましい。これにより、第２レンズ群での収差を抑えつつ、第２レンズ群の小型化に有利となる。
【０１５２】
また、第３レンズ群について以下の構成とすることが好ましい。このため、第３２のズームレンズは、第１〜第３１のズームレンズにおいて、第３レンズ群が３枚以下のレンズからなることが好ましい。これにより、鏡筒の薄型化に有利となる。
【０１５３】
また、第３３のズームレンズは、第３２のズームレンズにおいて、第３レンズ群が物体側から順に、正レンズ、正レンズ、負レンズからなり、負レンズが隣の正レンズと接合し、接合ダブレットを構成したことが好ましい。
【０１５４】
第３３のズームレンズにおいて上記構成をとった理由と作用を説明する。正レンズと負レンズを接合することで、軸上色収差の補正をより効果的に行うことができる。また、正レンズのパワーを２枚のレンズに分散させ、正レンズと負レンズを接合レンズとすることで、組み立て工程でのレンズ同士の相対偏心による光学性能の劣化を防ぐことができるため、歩留まりの向上やコストダウンにつながる。
【０１５５】
また、第３４のズームレンズは、第１〜第３３のズームレンズにおいて、第１レンズ群は、非球面レンズ面を有することが好ましい。これにより、特に、望遠端側で発生しやすい球面収差の補正に有利となる。
【０１５６】
また、第３５のズームレンズは、第１〜第３４のズームレンズにおいて、第２レンズ群は、非球面レンズ面を有することが好ましい。
【０１５７】
第３５のズームレンズにおいて上記構成をとった理由と作用を説明する。全長を抑えながら変倍比の確保を行おうとすると、第２レンズ群の光線の入射位置の変化が大きくなりやすい。このレンズ群に非球面を配置することで、広角端側での軸外収差の補正に有利となる。
【０１５８】
また、第３６のズームレンズは、第１〜第３５のズームレンズにおいて、第３レンズ群は、非球面レンズ面を有することが好ましい。これにより、全体的に球面収差、コマ収差の補正に有利となる。
【０１５９】
また、第３７のズームレンズは、第３６のズームレンズにおいて、第３レンズ群中の最も物体側のレンズが、両面非球面の正単レンズであることが好ましい。
【０１６０】
第３７のズームレンズにおいて上記構成をとった理由と作用を説明する。１枚のレンズの両側面を非球面とすることで、群内レンズ間の相対偏心による光学性能劣化を小さく抑えながら、球面収差とコマ収差をより良好に補正することが可能となる。
【０１６１】
また、第３８のズームレンズは、第１〜第３７のズームレンズにおいて、第１レンズ群、第２レンズ群、第３レンズ群、第４レンズ群が変倍時に移動し、第３レンズ群と一体で光軸方向に移動する明るさ絞りを備えたことが好ましい。
【０１６２】
第３８のズームレンズにおいて上記構成をとった理由と作用を説明する。各レンズ群に効率よく変倍作用を与え、かつ全変倍領域において収差を良好に補正しやすくなり、高変倍化に有利となる。
【０１６３】
また、明るさ絞りを第３レンズ群と一体で移動させることにより、倍率色収差や歪曲収差の効果的補正が可能になって性能面で効果を出せるだけでなく、入射瞳位置、射出瞳位置を適切にコントロールすることが可能となる。すなわち、広角端における軸外光束の光線高と望遠端の軸外光束の光線高のバランスがとれるようになり、第１レンズ群の外径と第４レンズ群の外径をバランスよくコンパクトに構成することが可能となる。特に広角端での第１レンズ群の外径を小さくすることはレンズの厚み方向の大きさのコンパクト化にも効果的につながる。
【０１６４】
また、変倍の際の射出瞳位置の変動を小さくするようにコントロールすることもできるようになるため、ＣＣＤやＣＭＯＳ等を用いる場合、入射する光線角度を適当な範囲に保ち画面の隅での明るさのかげり（シェーディング）の発生を防ぐことができ、電子撮像素子に好適となる。また、第３レンズ群のコンパクト化や第３レンズ群の移動による収差変動を抑えやすくなる。
【０１６５】
さらに、第３９のズームレンズは、第３８のズームレンズにおいて、広角端から望遠端への変倍に際して、第１レンズ群は広角端よりも望遠端で物体側にあるように移動し、第２レンズ群は移動し、第３レンズ群は物体側へのみ移動し、第４レンズ群は移動することが好ましい。
【０１６６】
第３９のズームレンズにおいて上記構成をとった理由と作用を説明する。第２レンズ群、第３レンズ群への変倍作用を確保しつつ全体の収差バランスも調整しやすくなる。
【０１６７】
広角端から望遠端への変倍において、第１レンズ群は広角端よりも望遠端で物体側にあるように移動させるのが良い。その際、物体側へのみ移動させても良いし、像側に凸の軌跡で移動させても良い。
【０１６８】
第２レンズ群は像側へのみ移動させても良いし、像側に凸の軌跡で移動させても良い。第３レンズ群は物体側へのみに移動させるのが良い。第４レンズ群は物体側へのみ移動させても良いし、像側へのみ移動させても良い。あるいは物体側に凸、または像側に凸の軌跡で移動させても良い。
【０１６９】
また、第４０のズームレンズは、第３８〜第３９のズームレンズにおいて、明るさ絞りが、第２レンズ群と第３レンズ群との間に配置されたことが好ましい。
【０１７０】
第４０のズームレンズにおいて上記構成をとった理由と作用を説明する。入射瞳を物体側からみて近い位置に位置させることができ、射出瞳を像面から遠ざけることができる。このとき、明るさ絞りと一体移動するシャッターユニットを並べて配置することがより好ましい。
【０１７１】
軸外光線の高さが低くなる場所であるのでシャッターユニットが大型化せずに済み、明るさ絞り及びシャッターユニットを移動させるときのデッドスペースが小さくて済む。
【０１７２】
また、第４１のズームレンズは、第１〜第４０のズームレンズにおいて、ズームレンズは、物体側から順に前記第１レンズ群、第２レンズ群、第３レンズ群、第４レンズ群からなる４群ズームレンズであることが好ましい。これにより、コンパクト化に有利となる。
【０１７３】
また、本発明の電子撮像装置は、上述のズームレンズと、ズームレンズの像側に配置され、ズームレンズにより形成された像を電気信号に変換する電子撮像素子とを有することを特徴とする。
【０１７４】
本発明のズームレンズは、テレセントリック性の確保に有利となる。従って、入射角により画像劣化が起こるような電子撮像素子を用いる電子撮像装置に用いることが好ましい。
【０１７５】
また、このような、電子撮像素子を用いた電子撮像装置の場合、以下の構成とすることがより好ましい。
【０１７６】
電子撮像素子による電気信号をもとに、前記ズームレンズの歪曲収差を電気的に補正する処理部を備えたことが好ましい。これにより、ズームレンズを小型に構成しても再生画像の劣化を抑えられ、電子撮像装置の小型化に有利となる。
【０１７７】
なお、上述の各発明について、ズームレンズにフォーカシング機能を備える場合は、最も遠距離の物点に合焦した状態での構成とする。フォーカシング動作を第４レンズ群の光軸方向の移動により行うと、射出瞳位置の変動を抑えやすくなり好ましい。
【０１７８】
また、上述の発明は、任意に複数同時に満足することがより好ましい。さらに、各条件式の下限値、上限値のみをより限定した条件式の下限値、上限値としてもよい。また、上述の各構成は、任意に組み合わせて構わない。
【発明の効果】
【０１７９】
以上の説明から明らかなように、本発明によれば、正屈折力の第１レンズ群、負屈折力の第２レンズ群、正屈折力の第３レンズ群、正屈折力の第４レンズ群を有するズームレンズにおいて、第１レンズ群の工夫により、小型化に有利であり、変倍比を大きくしても、球面収差の変動を抑えやすいズームレンズを提供できる。
【０１８０】
もしくは、第１レンズ群の工夫により、小型化に有利であり、変倍比を大きくしても、色収差の変動を抑えやすいズームレンズを提供できる。さらには、上述の目的を同時に達成するズームレンズを提供できる。また、各レンズ群、移動方式等の工夫により、小型化、高変倍比化、低コスト化、光学性能の確保等の何れか、または、複数を同時に達成するズームレンズを提供できる。さらには、そのようなズームレンズを備えた電子撮像装置を提供できる。
【発明を実施するための最良の形態】
【０１８１】
以下に、本発明に係るズームレンズ、電子撮像装置の実施例を図面に基づいて詳細に説明する。なお、この実施例によりこの発明が限定されるものではない。
【実施例】
【０１８２】
以下、本発明のズームレンズの実施例１〜９について説明する。実施例１〜９の無限遠物点合焦時の広角端（ａ）、中間状態（ｂ）、望遠端（ｃ）のレンズ断面図をそれぞれ図１〜図９に示す。図１〜図９中、第１レンズ群はＧ１、第２レンズ群はＧ２、開口絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１８３】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１８４】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１８５】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０１８６】
非球面は、第２両凸正レンズの像側の面と、第３両凹負レンズの両面と、第５両凸正レンズの両面と、第８両凸正レンズの物体側の面との６面に用いている。また、第８面は仮想面である。
【０１８７】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１８８】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１８９】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０１９０】
非球面は、第２両凸正レンズの像側の面と、第３両凹負レンズの両面と、第５両凸正レンズの両面と、第８両凸正レンズの物体側の面との６面に用いている。また、第８面は仮想面である。
【０１９１】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１９２】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１９３】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０１９４】
非球面は、第２両凸正レンズの像側の面と、第３両凹負レンズの両面と、第５両凸正レンズの両面と、第８両凸正レンズの物体側の面との６面に用いている。また、第８面は仮想面である。
【０１９５】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１９６】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１９７】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０１９８】
非球面は、第２両凸正レンズの像側の面と、第３両凹負レンズの両面と、第５両凸正レンズの両面と、第８両凸正レンズの物体側の面との６面に用いている。また、第８面は仮想面である。
【０１９９】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２００】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２０１】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０２０２】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２０３】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２０４】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２０５】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４負メニスカスレンズと、物体側に凸面を向けた第５正メニスカスレンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。なお、第１２面のレンズ面頂は、明るさ絞りＳよりも物体側に位置している。
【０２０６】
非球面は、第２両凸正レンズの像側の面と、第３両凹負レンズの両面と、第６両凸正レンズの両面と、第９両凸正レンズの物体側の面との６面に用いている。また、第１０面は仮想面である。
【０２０７】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２０８】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２０９】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。なお、第１２面のレンズ面頂は、明るさ絞りＳよりも物体側に位置している。
【０２１０】
非球面は、第２両凸正レンズの像側の面と、第３両凹負レンズの両面と、第６両凸正レンズの両面と、第９両凸正レンズの物体側の面との６面に用いている。また、第１０面は仮想面である。
【０２１１】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２１２】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２１３】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、物体側に凸面を向けた第４正メニスカスレンズから構成される。第３レンズ群Ｇ３は、第５両凸正レンズと、物体側に凸面を向けた第６正メニスカスレンズと、物体側に凸面を向けた第７負メニスカスレンズから構成される。第６正メニスカスレンズと、第７負メニスカスレンズは接合されている。第４レンズ群Ｇ４は、第８両凸正レンズで構成されている。なお、第１０面のレンズ面頂は、明るさ絞りＳよりも物体側に位置している。
【０２１４】
非球面は、第２両凸正レンズの像側の面と、第３両凹負レンズの両面と、第５両凸正レンズの両面と、第８両凸正レンズの物体側の面との６面に用いている。また、第８面は仮想面である。
【０２１５】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０２１６】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０２１７】
物体側から順に、第１レンズ群Ｇ１は、物体側に凸面を向けた第１負メニスカスレンズと、第２両凸正レンズから構成される。第１負メニスカスレンズと、第２両凸正レンズとは接合されている。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。なお、第１２面のレンズ面頂は、明るさ絞りＳよりも物体側に位置している。
【０２１８】
非球面は、第２両凸正レンズの像側の面と、第３両凹負レンズの両面と、第６両凸正レンズの両面と、第９両凸正レンズの物体側の面との６面に用いている。また、第１０面は仮想面である。
【０２１９】
以下に、上記各実施例の数値データを示す。記号は上記の外、ｆは全系焦点距離、ＦNOはＦナンバー、ωは半画角、ＷＥは広角端、ＳＴは中間状態、ＴＥは望遠端、ｒ1、ｒ2…は各レンズ面の曲率半径、ｄ1、ｄ2…は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０２２０】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０２２１】
実施例１
ｒ1 =   21.698            ｄ1 =  0.80     ｎd1 =  2.00170     νd1 =  20.64
ｒ2 =   17.688            ｄ2 =  4.06     ｎd2 =  1.49700     νd2 =  81.54
ｒ3 =  -29.133（非球面）  ｄ3 =（可変）  
ｒ4 =  -12.208（非球面）  ｄ4 =  0.90     ｎd3 =  1.80610     νd3 =  40.88
ｒ5 =    5.778（非球面）  ｄ5 =  0.98
ｒ6 =    9.168            ｄ6 =  1.90     ｎd4 =  1.92286     νd4 =  18.90
ｒ7 =   26.277            ｄ7 =（可変）  
ｒ8 =     ∞              ｄ8 =  0.98
ｒ9 =     ∞（絞り）      ｄ9 = -0.10
ｒ10=    4.600（非球面）  ｄ10=  3.01     ｎd5 =  1.49700     νd5 =  81.54
ｒ11=  -11.717（非球面）  ｄ11=  0.20
ｒ12=    4.992            ｄ12=  1.26     ｎd6 =  1.60342     νd6 =  38.03
ｒ13=    8.287            ｄ13=  0.39     ｎd7 =  2.00330     νd7 =  28.27
ｒ14=    3.230            ｄ14=  0.70
ｒ15=     ∞              ｄ15=（可変） 
ｒ16=   24.719（非球面）  ｄ16=  1.93     ｎd8 =  1.74330     νd8 =  49.33
ｒ17=  -69.248            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =    0.000
Ａ4 =    3.82038e-05  
Ａ6 =   -8.48090e-08    
Ａ8 =    3.61465e-10  
第4面
Ｋ =    0.089
Ａ4 =    4.60626e-05  
Ａ6 =    1.28261e-05 
Ａ8 =   -1.58317e-07  
第5面
Ｋ =   -0.406
Ａ4 =   -5.63186e-04 
Ａ6 =    8.35981e-06 
Ａ8 =    2.80302e-07  
第10面
Ｋ =   -0.227
Ａ4 =   -1.01015e-03  
Ａ6 =   -2.49056e-05  
第11面
Ｋ =    0.000
Ａ4 =    6.04770e-04  
Ａ6 =   -2.94658e-05 
Ａ8 =    1.98114e-06  
第16面
Ｋ =    0.000
Ａ4 =    1.18442e-04  
Ａ6 =    3.01521e-06   
Ａ8 =    4.62981e-07 
Ａ10=   -2.00000e-08  
ズームデータ（∞）
ＷＥ      ＳＴ      ＴＥ          
ｆ（mm）         6.88     16.85     46.28    
ＦNO              3.30      4.43      5.67    
２ω（°）      63.08     24.77      9.31    
ｄ3               0.71      7.57     13.70       
ｄ7              12.31      6.87      0.60     
ｄ15              2.30      8.77     15.01      
ｄ17              5.06      3.68      1.50     
【０２２２】
実施例２
ｒ1 =   20.645            ｄ1 =  0.80     ｎd1 =  2.00170     νd1 =  20.64
ｒ2 =   16.835            ｄ2 =  4.25     ｎd2 =  1.49700     νd2 =  81.54
ｒ3 =  -26.751（非球面）  ｄ3 =（可変）  
ｒ4 =  -14.412（非球面）  ｄ4 =  0.94     ｎd3 =  1.88300     νd3 =  40.76
ｒ5 =    5.846（非球面）  ｄ5 =  0.80
ｒ6 =    8.130            ｄ6 =  2.01     ｎd4 =  1.92286     νd4 =  18.90
ｒ7 =   19.830            ｄ7 =（可変）  
ｒ8 =     ∞              ｄ8 =  0.98
ｒ9 =     ∞（絞り）      ｄ9 = -0.10
ｒ10=    4.569（非球面）  ｄ10=  3.11     ｎd5 =  1.49700     νd5 =  81.54
ｒ11=  -12.606（非球面）  ｄ11=  0.23
ｒ12=    4.855            ｄ12=  1.20     ｎd6 =  1.60342     νd6 =  38.03
ｒ13=    7.083            ｄ13=  0.39     ｎd7 =  2.00330     νd7 =  28.27
ｒ14=    3.164            ｄ14=  0.70
ｒ15=     ∞              ｄ15=（可変） 
ｒ16=   20.534（非球面）  ｄ16=  2.09     ｎd8 =  1.74330     νd8 =  49.33
ｒ17= -174.515            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =    0.000
Ａ4 =    4.69441e-05  
Ａ6 =   -1.14534e-07 
Ａ8 =    4.94209e-10  
第4面
Ｋ =    0.089
Ａ4 =   -1.91915e-04  
Ａ6 =    1.92984e-05  
Ａ8 =   -2.28818e-07  
第5面
Ｋ =   -0.406
Ａ4 =   -5.68873e-04  
Ａ6 =    7.83764e-06  
Ａ8 =    6.33582e-07  
第10面
Ｋ =   -0.227
Ａ4 =   -9.38774e-04  
Ａ6 =   -2.98017e-05  
第11面
Ｋ =    0.000
Ａ4 =    6.11227e-04 
Ａ6 =   -3.00252e-05 
Ａ8 =    1.85735e-06  
第16面
Ｋ =    0.000
Ａ4 =    2.12280e-04 
Ａ6 =   -2.82589e-06  
Ａ8 =    6.55635e-07  
Ａ10=   -2.00000e-08  
ズームデータ（∞）
ＷＥ      ＳＴ      ＴＥ          
ｆ（mm）         6.88     16.84     46.28    
ＦNO              3.30      4.42      5.59    
２ω（°）      63.68     24.93      9.36   
ｄ3               0.50      6.97     12.70    
ｄ7              12.16      7.05      0.99    
ｄ15              2.22      8.72     14.86   
ｄ17              5.09      3.81      1.61   
【０２２３】
実施例３
ｒ1 =   22.538            ｄ1 =  0.80     ｎd1 =  2.00170     νd1 =  20.64
ｒ2 =   18.176            ｄ2 =  4.07     ｎd2 =  1.49700     νd2 =  81.54
ｒ3 =  -27.449（非球面）  ｄ3 =（可変）  
ｒ4 =  -11.281（非球面）  ｄ4 =  0.90     ｎd3 =  1.80610     νd3 =  40.88
ｒ5 =    6.540（非球面）  ｄ5 =  0.99
ｒ6 =   10.399            ｄ6 =  1.88     ｎd4 =  2.10227     νd4 =  17.10
ｒ7 =   22.503            ｄ7 =（可変）  
ｒ8 =     ∞              ｄ8 =  0.98
ｒ9 =     ∞（絞り）      ｄ9 = -0.10
ｒ10=    4.505（非球面）  ｄ10=  3.06     ｎd5 =  1.49700     νd5 =  81.54
ｒ11=  -11.895（非球面）  ｄ11=  0.22
ｒ12=    5.146            ｄ12=  1.18     ｎd6 =  1.60342     νd6 =  38.03
ｒ13=    7.646            ｄ13=  0.39     ｎd7 =  2.00330     νd7 =  28.27
ｒ14=    3.245            ｄ14=  0.70
ｒ15=     ∞              ｄ15=（可変） 
ｒ16=   24.762（非球面）  ｄ16=  2.06     ｎd8 =  1.74330     νd8 =  49.33
ｒ17=  -66.758            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =   0.000
Ａ4 =   3.92559e-05 
Ａ6 =  -6.29929e-08  
Ａ8 =   2.03948e-10  
第4面
Ｋ =   0.089
Ａ4 =   2.03912e-04  
Ａ6 =   1.01180e-05 
Ａ8 =  -1.28824e-07  
第5面
Ｋ =  -0.406
Ａ4 =  -3.80310e-04  
Ａ6 =   1.04953e-05 
Ａ8 =   2.29140e-07  
第10面
Ｋ =  -0.227
Ａ4 =  -1.05417e-03  
Ａ6 =  -2.31881e-05  
第11面
Ｋ =   0.000
Ａ4 =   6.50102e-04 
Ａ6 =  -2.65162e-05 
Ａ8 =   1.92181e-06  
第16面
Ｋ =   0.000
Ａ4 =   1.47469e-04  
Ａ6 =  -1.30252e-06  
Ａ8 =   6.46852e-07 
Ａ10=  -2.00000e-08  
ズームデータ（∞）
ＷＥ      ＳＴ      ＴＥ          
ｆ（mm）         6.88     16.85     46.29    
ＦNO              3.30      4.43      5.64    
２ω（°）      63.19     24.73      9.31   
ｄ3               0.68      7.52     13.70    
ｄ7              12.42      6.96      0.69    
ｄ15              2.28      8.77     14.93   
ｄ17              5.03      3.69      1.50   
【０２２４】
実施例４
ｒ1 =   20.479            ｄ1 =  0.80     ｎd1 =  2.00170     νd1 =  20.64
ｒ2 =   16.826            ｄ2 =  4.06     ｎd2 =  1.49700     νd2 =  81.54
ｒ3 =  -32.919（非球面）  ｄ3 =（可変）  
ｒ4 =  -11.994（非球面）  ｄ4 =  0.91     ｎd3 =  1.83481     νd3 =  42.71
ｒ5 =    6.532（非球面）  ｄ5 =  0.78
ｒ6 =    8.849            ｄ6 =  1.86     ｎd4 =  1.92286     νd4 =  18.90
ｒ7 =   21.254            ｄ7 =（可変）  
ｒ8 =     ∞              ｄ8 =  0.98
ｒ9 =     ∞（絞り）      ｄ9 = -0.10
ｒ10=    5.038（非球面）  ｄ10=  3.14     ｎd5 =  1.49700     νd5 =  81.54
ｒ11=  -11.062（非球面）  ｄ11=  0.29
ｒ12=    5.130            ｄ12=  1.25     ｎd6 =  1.60342     νd6 =  38.03
ｒ13=    8.213            ｄ13=  0.39     ｎd7 =  2.00330     νd7 =  28.27
ｒ14=    3.497            ｄ14=  0.70
ｒ15=     ∞              ｄ15=（可変） 
ｒ16=   22.108（非球面）  ｄ16=  1.98     ｎd8 =  1.74330     νd8 =  49.33
ｒ17= -144.779            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =   0.000
Ａ4 =   3.03379e-05 
Ａ6 =  -5.30314e-08 
Ａ8 =   2.38853e-10  
第4面
Ｋ =   0.089
Ａ4 =  -4.93344e-05 
Ａ6 =   1.67517e-05  
Ａ8 =  -1.98391e-07  
第5面
Ｋ =  -0.406
Ａ4 =  -4.16293e-04 
Ａ6 =   9.24712e-06 
Ａ8 =   4.77141e-07  
第10面
Ｋ =  -0.227
Ａ4 =  -8.15716e-04 
Ａ6 =  -2.26164e-05  
第11面
Ｋ =   0.000
Ａ4 =   6.46494e-04 
Ａ6 =  -3.54167e-05 
Ａ8 =   1.87547e-06  
第16面
Ｋ =   0.000
Ａ4 =   2.61106e-04  
Ａ6 =  -1.49917e-06 
Ａ8 =   6.34056e-07 
Ａ10=  -2.00000e-08  
ズームデータ（∞）
ＷＥ      ＳＴ      ＴＥ          
ｆ（mm）         6.88     16.85     46.28   
ＦNO              3.30      4.45      5.72   
２ω（°）      67.46     25.81      9.52   
ｄ3               0.86      7.53     13.70   
ｄ7              12.34      6.75      0.63   
ｄ15              2.15      8.73     15.24   
ｄ17              5.07      3.69      1.43   
【０２２５】
実施例５
ｒ1 =   23.668            ｄ1 =  0.80     ｎd1 =  2.00170     νd1 =  20.64
ｒ2 =   19.590            ｄ2 =  3.98     ｎd2 =  1.49700     νd2 =  81.54
ｒ3 =  -27.384（非球面）  ｄ3 =（可変）  
ｒ4 =  -12.598（非球面）  ｄ4 =  0.91     ｎd3 =  1.83481     νd3 =  42.71
ｒ5 =    6.347（非球面）  ｄ5 =  0.91
ｒ6 =    9.462            ｄ6 =  1.88     ｎd4 =  1.92286     νd4 =  18.90
ｒ7 =   25.431            ｄ7 =（可変） 
ｒ8 =     ∞              ｄ8 =  0.98
ｒ9 =     ∞（絞り）      ｄ9 = -0.10
ｒ10=    4.380（非球面）  ｄ10=  2.64     ｎd5 =  1.49700     νd5 =  81.54
ｒ11=  -11.978（非球面）  ｄ11=  0.21
ｒ12=    5.009            ｄ12=  1.17     ｎd6 =  1.51742     νd6 =  52.43
ｒ13=    6.232            ｄ13=  0.40     ｎd7 =  2.00330     νd7 =  28.27
ｒ14=    3.071            ｄ14=  0.70
ｒ15=     ∞              ｄ15=（可変） 
ｒ16=   21.580（非球面）  ｄ16=  2.06     ｎd8 =  1.81474     νd8 =  37.03
ｒ17= -978.404            ｄ17=（可変） 
ｒ18=     ∞              ｄ18=  0.50     ｎd9 =  1.51633     νd9 =  64.14
ｒ19=     ∞              ｄ19=  0.50
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =  -7.111
Ａ4 =  -5.55917e-07 
Ａ6 =   1.43935e-08  
Ａ8 =   1.59184e-10  
Ａ10=   2.14201e-14  
第4面
Ｋ =   0.164
Ａ4 =  -5.56372e-05  
Ａ6 =   2.25017e-05  
Ａ8 =  -6.41799e-07 
Ａ10=   7.92547e-09  
第5面
Ｋ =   0.426
Ａ4 =  -1.02133e-03 
Ａ6 =   2.17154e-05  
Ａ8 =  -1.26409e-06 
Ａ10=   6.37628e-09  
第10面
Ｋ =  -3.075
Ａ4 =   2.84705e-03  
Ａ6 =  -1.36330e-04  
第11面
Ｋ =   8.240
Ａ4 =   7.87536e-04 
Ａ6 =   4.92757e-05  
Ａ8 =  -1.38094e-05  
Ａ10=   8.57143e-07  
第16面
Ｋ =  -4.140
Ａ4 =   1.27942e-04  
Ａ6 =   2.38646e-05  
Ａ8 =  -1.38465e-06 
Ａ10=   2.83638e-08  
ズームデータ（∞）
ＷＥ      ＳＴ      ＴＥ          
ｆ（mm）         6.62     16.17     44.53    
ＦNO              3.30      4.44      5.50    
２ω（°）      65.90     25.93      9.87    
ｄ3               0.70      7.35     13.70    
ｄ7              13.43      7.55      0.60     
ｄ15              1.98      8.49     13.39    
ｄ17              5.27      4.06      3.60      
【０２２６】
実施例６
ｒ1 =   22.602            ｄ1 =  0.80     ｎd1 =  2.00170     νd1 =  20.64
ｒ2 =   18.738            ｄ2 =  4.13     ｎd2 =  1.49700     νd2 =  81.54
ｒ3 =  -25.691（非球面）  ｄ3 =（可変）  
ｒ4 =  -13.288（非球面）  ｄ4 =  0.91     ｎd3 =  1.83481     νd3 =  42.71
ｒ5 =   16.534（非球面）  ｄ5 =  0.55
ｒ6 =   28.680            ｄ6 =  0.70     ｎd4 =  1.88300     νd4 =  40.76
ｒ7 =    7.398            ｄ7 =  0.47
ｒ8 =    8.542            ｄ8 =  2.05     ｎd5 =  1.92286     νd5 =  18.90
ｒ9 =   23.121            ｄ9 =（可変）  
ｒ10=     ∞              ｄ10=  0.98
ｒ11=     ∞（絞り）      ｄ11= -0.10
ｒ12=    4.478（非球面）  ｄ12=  2.56     ｎd6 =  1.49700     νd6 =  81.54
ｒ13=  -15.247（非球面）  ｄ13=  0.20
ｒ14=    4.817            ｄ14=  1.47     ｎd7 =  1.51742     νd7 =  52.43
ｒ15=    7.370            ｄ15=  0.40     ｎd8 =  2.00330     νd8 =  28.27
ｒ16=    3.171            ｄ16=  0.70
ｒ17=     ∞              ｄ17=（可変） 
ｒ18=   17.556（非球面）  ｄ18=  2.28     ｎd9 =  1.81474     νd9 =  37.03
ｒ19= -356.352            ｄ19=（可変） 
ｒ20=     ∞              ｄ20=  0.50     ｎd10=  1.51633     νd10=  64.14
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第3面
Ｋ =   -2.655
Ａ4 =    2.84235e-05 
Ａ6 =   -1.26821e-07  
Ａ8 =    6.53842e-10   
Ａ10=    2.14201e-14  
第4面
Ｋ =    1.985
Ａ4 =   -1.54238e-04  
Ａ6 =    3.31806e-05  
Ａ8 =   -7.71567e-07 
Ａ10=    7.92547e-09  
第5面
Ｋ =    7.086
Ａ4 =   -9.45498e-04  
Ａ6 =    3.71912e-05  
Ａ8 =   -9.25584e-07 
Ａ10=    6.37628e-09  
第12面
Ｋ =   -1.244
Ａ4 =    5.05817e-04 
Ａ6 =    4.58343e-05  
第13面
Ｋ =    0.148
Ａ4 =    6.24060e-04  
Ａ6 =    7.30506e-05 
Ａ8 =   -8.70760e-06 
Ａ10=    8.57143e-07  
第18面
Ｋ =   -5.979
Ａ4 =    1.62882e-04  
Ａ6 =    2.08747e-05  
Ａ8 =   -1.27158e-06 
Ａ10=    2.83638e-08  
ズームデータ（∞）
ＷＥ      ＳＴ      ＴＥ          
ｆ（mm）         6.62     16.17     44.53    
ＦNO              3.30      4.45      5.35    
２ω（°）       66.51     25.78      9.68   
ｄ3               0.61      6.85     12.93    
ｄ9              13.00      7.50      0.60    
ｄ17              1.91      8.34     12.90   
ｄ19              4.88      4.05      3.00   
【０２２７】
実施例７
ｒ1 =   23.899            ｄ1 =  0.80     ｎd1 =  2.00170     νd1 =  20.64
ｒ2 =   19.824            ｄ2 =  4.24     ｎd2 =  1.49700     νd2 =  81.54
ｒ3 =  -26.164（非球面）  ｄ3 =（可変）  
ｒ4 =  -10.790（非球面）  ｄ4 =  0.91     ｎd3 =  1.83481     νd3 =  42.71
ｒ5 =   22.431（非球面）  ｄ5 =  0.90
ｒ6 =  218.971            ｄ6 =  2.10     ｎd4 =  1.92286     νd4 =  18.90
ｒ7 =  -13.195            ｄ7 =  0.30
ｒ8 =  -10.758            ｄ8 =  0.50     ｎd5 =  1.88300     νd5 =  40.76
ｒ9 =  103.691            ｄ9 =（可変）  
ｒ10=     ∞              ｄ10=  0.98
ｒ11=     ∞（絞り）      ｄ11= -0.10
ｒ12=    4.295（非球面）  ｄ12=  2.51     ｎd6 =  1.49700     νd6 =  81.54
ｒ13=  -13.710（非球面）  ｄ13=  0.20
ｒ14=    4.763            ｄ14=  1.22     ｎd7 =  1.51742     νd7 =  52.43
ｒ15=    6.332            ｄ15=  0.40     ｎd8 =  2.00330     νd8 =  28.27
ｒ16=    3.093            ｄ16=  0.70
ｒ17=     ∞              ｄ17=（可変） 
ｒ18=   29.444（非球面）  ｄ18=  1.99     ｎd9 =  1.81474     νd9 =  37.03
ｒ19=  -51.206            ｄ19=（可変） 
ｒ20=     ∞              ｄ20=  0.50     ｎd10=  1.51633     νd10=  64.14
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第3面
Ｋ =   -3.386
Ａ4 =    1.84236e-05 
Ａ6 =   -5.49013e-08 
Ａ8 =    2.40556e-10  
Ａ10=   -3.81661e-13  
第4面
Ｋ =   -3.373
Ａ4 =   -5.91701e-06  
Ａ6 =    1.42524e-05 
Ａ8 =   -3.49467e-07 
Ａ10=    3.04350e-09  
第5面
Ｋ =    3.350
Ａ4 =   -1.83526e-04  
Ａ6 =    2.07397e-05 
Ａ8 =   -4.59555e-07  
Ａ10=    6.67020e-09  
第12面
Ｋ =   -1.796
Ａ4 =    1.38580e-03 
Ａ6 =    5.53570e-06  
第13面
Ｋ =  -92.455
Ａ4 =   -3.55086e-03 
Ａ6 =    7.78041e-04 
Ａ8 =   -9.98896e-05 
Ａ10=    5.79723e-06  
第18面 
Ｋ =    5.707
Ａ4 =    1.30782e-04 
Ａ6 =    9.36732e-06
Ａ8 =   -4.60064e-07 
Ａ10=    7.60826e-09  
ズームデータ（∞）
ＷＥ      ＳＴ      ＴＥ          
ｆ（mm）         6.62     16.17     44.53     
ＦNO              3.30      4.44      5.43     
２ω（°）      68.57     26.03      9.75     
ｄ3               0.58      7.10     13.39     
ｄ9              12.27      6.94      0.60     
ｄ17              2.29      8.51     13.18     
ｄ19              4.97      3.90      3.00     
【０２２８】
実施例８
ｒ1 =   23.976            ｄ1 =  0.80     ｎd1 =  2.00170     νd1 =  20.64
ｒ2 =   19.903            ｄ2 =  3.96     ｎd2 =  1.49700     νd2 =  81.54
ｒ3 =  -27.088（非球面）  ｄ3 =（可変）  
ｒ4 =  -13.009（非球面）  ｄ4 =  0.91     ｎd3 =  1.83481     νd3 =  42.71
ｒ5 =    6.302（非球面）  ｄ5 =  0.92
ｒ6 =    9.256            ｄ6 =  1.87     ｎd4 =  1.92286     νd4 =  18.90
ｒ7 =   23.104            ｄ7 =（可変） 
ｒ8 =     ∞              ｄ8 =  0.98
ｒ9 =     ∞（絞り）      ｄ9 = -0.10
ｒ10=    4.405（非球面）  ｄ10=  2.63     ｎd5 =  1.49700     νd5 =  81.54
ｒ11=  -10.942（非球面）  ｄ11=  0.23
ｒ12=    5.290            ｄ12=  1.14     ｎd6 =  1.51742     νd6 =  52.43
ｒ13=    6.299            ｄ13=  0.41     ｎd7 =  2.00330     νd7 =  28.27
ｒ14=    3.124            ｄ14=  0.70
ｒ15=     ∞              ｄ15=（可変）
ｒ16=   21.612（非球面）  ｄ16=  2.06     ｎd8 =  1.81474     νd8 =  37.03
ｒ17=-3334.342            ｄ17=（可変） 
ｒ18=     ∞              ｄ18=  0.50     ｎd9 =  1.51633     νd9 =  64.14
ｒ19=     ∞              ｄ19=  0.50 
ｒ20=     ∞              ｄ20=  0.50     ｎd10=  1.51633     νd10=  64.14
ｒ21=     ∞              ｄ21=  0.37
ｒ22=     ∞（電子撮像素子の受光面、像面）
非球面係数
第3面
Ｋ =   -3.358
Ａ4 =    2.30297e-05 
Ａ6 =   -1.22671e-07 
Ａ8 =    7.32069e-10  
Ａ10=    2.14201e-14  
第4面
Ｋ =   -0.491
Ａ4 =   -1.79874e-04  
Ａ6 =    2.75493e-05 
Ａ8 =   -7.26410e-07 
Ａ10=    7.92547e-09  
第5面
Ｋ =    0.311
Ａ4 =   -1.03567e-03  
Ａ6 =    2.81436e-05 
Ａ8 =   -1.04751e-06  
Ａ10=    6.37628e-09  
第10面
Ｋ =   -3.062
Ａ4 =    2.72342e-03 
Ａ6 =   -1.57228e-04  
第11面
Ｋ =  -22.869
Ａ4 =   -1.92400e-03  
Ａ6 =    1.43485e-04 
Ａ8 =   -2.06398e-05 
Ａ10=    8.57143e-07  
第16面
Ｋ =   -3.300
Ａ4 =    1.45283e-04 
Ａ6 =    2.16436e-05 
Ａ8 =   -1.33025e-06 
Ａ10=    2.83638e-08  
ズームデータ（∞）
ＷＥ      ＳＴ      ＴＥ          
ｆ（mm）         6.62     16.18     44.54    
ＦNO              3.30      4.44      5.49    
２ω（°）      65.74     25.95      9.88    
ｄ3               0.67      7.35     13.69    
ｄ7              13.36      7.50      0.60    
ｄ15              2.02      8.52     13.40    
ｄ17              5.28      4.07      3.61    
【０２２９】
実施例９
ｒ1 =   23.104            ｄ1 =  0.80     ｎd1 =  2.00170     νd1 =  20.64
ｒ2 =   19.396            ｄ2 =  4.18     ｎd2 =  1.49700     νd2 =  81.54
ｒ3 =  -28.307（非球面）  ｄ3 =（可変）  
ｒ4 =   -8.746（非球面）  ｄ4 =  0.90     ｎd3 =  1.80610     νd3 =  40.92
ｒ5 =   22.609（非球面）  ｄ5 =  0.96
ｒ6 =  115.759            ｄ6 =  1.98     ｎd4 =  1.92286     νd4 =  18.90
ｒ7 =  -14.259            ｄ7 =  0.21
ｒ8 =  -13.143            ｄ8 =  0.50     ｎd5 =  1.88300     νd5 =  40.76
ｒ9 =   72.040            ｄ9 =（可変）  
ｒ10=     ∞              ｄ10=  0.98
ｒ11=     ∞（絞り）      ｄ11= -0.10
ｒ12=    4.226（非球面）  ｄ12=  2.08     ｎd6 =  1.49700     νd6 =  81.54
ｒ13=  -16.546（非球面）  ｄ13=  0.38
ｒ14=    4.496            ｄ14=  1.32     ｎd7 =  1.51742     νd7 =  52.43
ｒ15=    6.297            ｄ15=  0.40     ｎd8 =  2.00330     νd8 =  28.27
ｒ16=    3.029            ｄ16=  0.70
ｒ17=     ∞              ｄ17=（可変） 
ｒ18=   42.015（非球面）  ｄ18=  1.93     ｎd9 =  1.81474     νd9 =  37.03
ｒ19=  -32.646            ｄ19=（可変） 
ｒ20=     ∞              ｄ20=  0.50     ｎd10=  1.51633     νd10=  64.14
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第3面
Ｋ =   -5.090
Ａ4 =    9.69822e-06  
Ａ6 =   -7.03853e-09  
Ａ8 =    8.40603e-11
Ａ10=   -7.99864e-13  
第4面
Ｋ =   -7.664
Ａ4 =   -2.42260e-04  
Ａ6 =    1.92938e-05 
Ａ8 =   -4.98886e-07 
Ａ10=    4.81577e-09  
第5面
Ｋ =   14.395
Ａ4 =    3.36955e-04   
Ａ6 =   -1.56311e-06 
Ａ8 =   -5.73815e-08  
Ａ10=   -1.93332e-09  
第12面
Ｋ =   -4.899
Ａ4 =    6.91677e-03 
Ａ6 =   -4.70828e-04 
Ａ8 =    3.61315e-05 
Ａ10=    9.97270e-22  
第13面
Ｋ = -161.860
Ａ4 =   -2.97697e-03 
Ａ6 =    9.82793e-04 
Ａ8 =   -1.34602e-04 
Ａ10=    1.02130e-05  
第18面
Ｋ = -238.183
Ａ4 =    4.66205e-04 
Ａ6 =   -2.07951e-06 
Ａ8 =   -1.03870e-07 
Ａ10=    1.44607e-09  
ズームデータ（∞）
ＷＥ      ＳＴ      ＴＥ          
ｆ（mm）        6.63     16.23     44.53   
ＦNO              3.30      4.51      5.64   
２ω（°）      67.60     25.89      9.77   
ｄ3               0.95      7.52     13.67   
ｄ9              11.63      6.65      0.60   
ｄ17              1.89      8.46     13.34   
ｄ19              5.04      3.61      3.00   
【０２３０】
以上の実施例１〜９の無限遠物点合焦時の収差図をそれぞれ図１０〜図１８に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。“ω”は半画角を示す。
【０２３１】
次に、各実施例における条件式（１）〜（２１）の値を掲げる。
(1)        (2)         (3)          (4)         (5)       (6)    
ＳＦ1p1  νd1p−νd1n  ｆ1/ｆt    ｜ｆ2/ｆt｜  ｆ3/ｆt    ｆ4/ｆt
実施例1   -0.244      60.896      0.634        0.164       0.22      0.534
実施例2   -0.228      60.896      0.595        0.154       0.217     0.537
実施例3   -0.203      60.896      0.633        0.164       0.22      0.53
実施例4   -0.324      60.896      0.645        0.163       0.219     0.56
実施例5   -0.166      60.896      0.66         0.172       0.234     0.583
実施例6   -0.156      60.896      0.625        0.166       0.235     0.462
実施例7   -0.138      60.896      0.648        0.162       0.224     0.521
実施例8   -0.153      60.896      0.659        0.171       0.234     0.592
実施例9   -0.187      60.896      0.657        0.16        0.216     0.512
(7)        (8)        (9)       (10)       (11)       (12)  
νd1p      νd3p      ｎd1n      ｎd2n      ｎd2p     ＳＦ2n1
実施例1   81.54      81.54      2.002      1.806      1.923      0.357
実施例2   81.54      81.54      2.002      1.883      1.923      0.423
実施例3   81.54      81.54      2.002      1.806      2.102      0.266
実施例4   81.54      81.54      2.002      1.835      1.923      0.295
実施例5   81.54      81.54      2.002      1.835      1.923      0.33
実施例6   81.54      81.54      2.002      1.835      1.923     -0.109
実施例7   81.54      81.54      2.002      1.835      1.923     -0.35
実施例8   81.54      52.43      2.002      1.835      1.923      0.347
実施例9   81.54      81.54      2.002      1.806      1.923     -0.442
(13)             (14)      (15)       (16)         (17)    
(β2t/β2w)/(β3t/β3w)  β2t/β2w  β3t/β3w  β4t/β4w  (D2w＋D1t)/ｆt
実施例1          1.759            3.133     1.781      1.205        0.581
実施例2          1.874            3.237     1.727      1.204        0.556
実施例3          1.784            3.153     1.768      1.207        0.583
実施例4          1.654            3.048     1.842      1.198        0.582
実施例5          1.576            3.115     1.977      1.092        0.629
実施例6          1.955            3.389     1.733      1.145        0.602
実施例7          1.754            3.239     1.847      1.123        0.596
実施例8          1.58             3.122     1.975      1.091        0.627
実施例9          1.608            3.094     1.924      1.129        0.588
(18)         (19)         (20)        (21)  
Ｄ2w/ｆt     Ｄ1t/ｆt     ＴL/ｆt     ｆt/ｆw
実施例1    0.285        0.296        1.074       6.725
実施例2    0.282        0.274        1.068       6.728
実施例3    0.287        0.296        1.077       6.726
実施例4    0.286        0.296        1.079       6.725
実施例5    0.321        0.308        1.116       6.725
実施例6    0.312        0.29         1.109       6.724
実施例7    0.295        0.301        1.116       6.722
実施例8    0.32         0.307        1.116       6.727
実施例9    0.281        0.307        1.116       6.721
【０２３２】
以上の実施例は、カメラの薄型化を行い易いように配慮された、７倍程度の高変倍比を持つズームレンズ光学系を実現している。当然ながら撮影画像の画質は良好に維持されており、またＣＣＤやＣＭＯＳ等の電子撮像素子の使用に適している安価なズームレンズ光学系となっている。
【０２３３】
また、上記各実施例において、ゴースト、フレア等の不要光をカットするために、明るさ絞り以外にフレア絞りを配置してもかまわない。フレア絞りは、第１レンズ群の物体側、第１、２レンズ群間、第２、３レンズ群間、第３、４レンズ群間、第４レンズ群から像面間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【０２３４】
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０２３５】
またピント調節を行うためのフォーカシングは第４レンズ群の移動にて行うことが望ましい。第４レンズ群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。上述のように第４レンズ群でのフォーカシングが望ましいが、第１、２、３レンズ群でフォーカシングを行っても良い。また複数のレンズ群を移動してフォーカシングを行っても良い。またレンズ系全体を繰り出してフォーカスを行っても良いし、一部のレンズを繰り出し、もしくは繰り込みしてフォーカスしても良い。
【０２３６】
また画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。
【０２３７】
また意図的に光学系で歪曲収差を出しておき、撮影後に電気的に画像処理を行って歪みを補正してもかまわない。
【０２３８】
（歪曲収差の補正）
ところで、本発明のズームレンズを用いたときに、像の歪曲は電気的にデジタル補正する。以下に、像の歪曲をデジタル補正するための基本的概念について説明する。
【０２３９】
例えば、図１９に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０２４０】
例えば、図１９において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０２４１】
ここで、ｒ'（ω）は次のように表わすことができる。
ｒ'（ω）＝α・ｆ・ｔａｎω    （０≦α≦１）
ただし、
ωは被写体半画角、ｆは結像光学系（本発明では、ズームレンズ）の焦点距離である。
【０２４２】
ここで、前記半径Ｒの円上（像高）に対応する理想像高をＹとすると、
α＝Ｒ／Ｙ＝Ｒ／（ｆ・ｔａｎω）
となる。
【０２４３】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０２４４】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０２４５】
つまり、離散的座標点毎に表わされる画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０２４６】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０２４７】
本発明の電子撮像装置では、補正量ｒ'（ω）−ｒ（ω）を計算するために、ｒ（ω）すなわち半画角と像高との関係、あるいは、実像高ｒと理想像高ｒ'／αとの関係が、電子撮像装置に内蔵された記録媒体に記録されている構成としてもよい。
【０２４８】
なお、歪曲補正後の画像が短辺方向の両端において光量が極端に不足することのないようにするには、前記半径Ｒが、次の条件式を満足するのがよい。
【０２４９】
０≦Ｒ≦０．６Ｌs 
ただし、Ｌs は有効撮像面の短辺の長さである。
【０２５０】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、実質画像数の面で若干の不利があるが、広角化しても小型化にするための効果は確保できる。
【０２５１】
なお、補正が必要な焦点距離区間については、いくつかの焦点ゾーンに分割する。そして、該分割された焦点ゾーン内の望遠端近傍で略
ｒ'（ω）＝α・ｆ・ｔａｎω
を満足する補正結果が得られる場合と同じ補正量で補正してもよい。
【０２５２】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０２５３】
そして、前記分割されたゾーン内の望遠端近傍で略、
ｒ'（ω）＝α・ｆ・ｔａｎω
を満足する補正結果が得られる場合の補正量を算出し、この補正量に対して焦点距離毎に前記係数を一律に掛けて最終的な補正量にしてもよい。
【０２５４】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２５５】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２５６】
（デジタルカメラ）
図２０〜図２２は、以上のようなズームレンズを撮影光学系１４１に組み込んだ本発明によるデジタルカメラの構成の概念図を示す。図２０はデジタルカメラ１４０の外観を示す前方斜視図、図２１は同後方正面図、図２２はデジタルカメラ１４０の構成を示す模式的な断面図である。ただし、図２０と図２２においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２０の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０２５７】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０２５８】
このように構成されたデジタルカメラ１４０は、撮影光学系１４１が本発明により、沈胴時に厚みを極めて薄く、高変倍で全変倍域で結像性能を極めて安定的であるあるので、高性能・小型化・広角化が実現できる。
【０２５９】
（内部回路構成）
図２３は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０２６０】
図２３に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２６１】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０２６２】
操作部１１２は各種の入力ボタンやスイッチを備え、これらの入力ボタンやスイッチを介して外部（カメラ使用者）から入力されるイベント情報を制御部に通知する回路である。
【０２６３】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０２６４】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０２６５】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０２６６】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２６７】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０２６８】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０２６９】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【産業上の利用可能性】
【０２７０】
以上のように、本発明は、カメラの薄型化を行い易いように配慮された、７倍程度の高変倍比を持つズームレンズに有用である。
【図面の簡単な説明】
【０２７１】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】実施例１の無限遠物点合焦時の収差図である。
【図１１】実施例２の無限遠物点合焦時の収差図である。
【図１２】実施例３の無限遠物点合焦時の収差図である。
【図１３】実施例４の無限遠物点合焦時の収差図である。
【図１４】実施例５の無限遠物点合焦時の収差図である。
【図１５】実施例６の無限遠物点合焦時の収差図である。
【図１６】実施例７の無限遠物点合焦時の収差図である。
【図１７】実施例８の無限遠物点合焦時の収差図である。
【図１８】実施例９の無限遠物点合焦時の収差図である。
【図１９】歪曲収差の補正を説明する図である。
【図２０】本発明によるズームレンズを組み込んだデジタルカメラの外観を示す前方斜視図である。
【図２１】図２０のデジタルカメラの後方斜視図である。
【図２２】図２０のデジタルカメラの断面図である。
【図２３】デジタルカメラの主要部の内部回路の構成ブロック図である。
【符号の説明】
【０２７２】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2008122879.tif 000003
【図２】
2008122879.tif 000004
【図３】
2008122879.tif 000005
【図４】
2008122879.tif 000006
【図５】
2008122879.tif 000007
【図６】
2008122879.tif 000008
【図７】
2008122879.tif 000009
【図８】
2008122879.tif 000010
【図９】
2008122879.tif 000011
【図１０】
2008122879.tif 000012
【図１１】
2008122879.tif 000013
【図１２】
2008122879.tif 000014
【図１３】
2008122879.tif 000015
【図１４】
2008122879.tif 000016
【図１５】
2008122879.tif 000017
【図１６】
2008122879.tif 000018
【図１７】
2008122879.tif 000019
【図１８】
2008122879.tif 000020
【図１９】
2008122879.tif 000021
【図２０】
2008122879.tif 000022
【図２１】
2008122879.tif 000023
【図２２】
2008122879.tif 000024
【図２３】
2008122879.tif 000025